(57)【特許請求の範囲】
【請求項１】
フェムトセルからのビーコン支援ハンドオーバーを促進する方法において、
初期化メッセージをプロセッサによって受信することと、
一意的な識別子から、タイミングオフセットを把握することと、
第１の周波数において、前記フェムトセルを動作させることと、
少なくとも１つのビーコン信号をブロードキャストすることとを含み、
前記初期化メッセージは、前記フェムトセルに関係付けられている前記一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストし、
前記フェムトセルを動作させること、または、前記少なくとも１つのビーコン信号をブロードキャストすることのうちの少なくとも１つは、前記タイミングオフセットに基づいている方法。
【請求項２】
前記一意的な識別子から、前記フェムトセルに関係付けられているスクランブリングコードを把握することをさらに含み、前記スクランブリングコードにしたがって、前記フェムトセルを動作させる請求項１記載の方法。
【請求項３】
前記一意的な識別子から、前記少なくとも１つのビーコン信号に関係付けられているスクランブリングコードを把握することをさらに含み、前記スクランブリングコードにしたがって、前記少なくとも１つのビーコン信号をブロードキャストする請求項１記載の方法。
【請求項４】
ワイヤレス端末を検出することをさらに含み、前記少なくとも１つのビーコン信号を制御することにより、前記ワイヤレス端末との潜在的な干渉を軽減させる請求項１記載の方法。
【請求項５】
前記少なくとも１つのビーコン信号を中止すること、前記少なくとも１つのビーコン信号のブロードキャスト電力を減少させること、または、前記少なくとも１つのビーコン信号の周期を変化させることのうちの少なくとも１つを実行することにより、前記潜在的な干渉を軽減させる請求項４記載の方法。
【請求項６】
前記少なくとも１つのビーコン信号を回復することをさらに含む請求項５記載の方法。
【請求項７】
フェムトセルからのビーコン支援ハンドオーバーを促進する装置において、
前記装置は、
初期化メッセージを受信するように構成されている受信コンポーネントと、
一意的な識別子から、タイミングオフセットを把握するように構成されているタイミングコンポーネントと、
第１の周波数において、前記フェムトセルを動作させるように構成されている動作コンポーネントと、
少なくとも１つのビーコン信号をブロードキャストするように構成されている送信コンポーネントとを含み、
前記初期化メッセージは、前記フェムトセルに関係付けられている前記一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストし、
前記フェムトセルを動作させるように構成されている動作コンポーネント、または、前記少なくとも１つのビーコン信号をブロードキャストするように構成されている送信コンポーネントのうちの少なくとも１つは、前記タイミングオフセットに基づいている装置。
【請求項８】
前記一意的な識別子から、前記フェムトセルに関係付けられているスクランブリングコードを把握するように構成されているスクランブリングコードコンポーネントをさらに具備し、前記スクランブリングコードにしたがって、前記フェムトセルを動作させる請求項７記載の装置。
【請求項９】
前記一意的な識別子から、前記少なくとも１つのビーコン信号に関係付けられているスクランブリングコードを把握するように構成されているスクランブリングコードコンポーネントをさらに具備し、前記スクランブリングコードにしたがって、前記少なくとも１つのビーコン信号をブロードキャストする請求項７記載の装置。
【請求項１０】
ワイヤレス端末を検出するように構成されている軽減コンポーネントをさらに具備し、前記少なくとも１つのビーコン信号を制御することにより、潜在的な干渉を軽減させる請求項７記載の装置。
【請求項１１】
前記軽減コンポーネントは、前記少なくとも１つのビーコン信号を中止すること、前記少なくとも１つのビーコン信号のブロードキャスト電力を減少させること、または、前記少なくとも１つのビーコン信号の周期を変化させることのうちの少なくとも１つを実行することにより、前記潜在的な干渉を軽減させるように構成されている請求項１０記載の装置。
【請求項１２】
前記少なくとも１つのビーコン信号を回復するように構成されている回復コンポーネントをさらに具備する請求項１１記載の装置。
【請求項１３】
フェムトセルからのビーコン支援ハンドオーバーを促進するコンピュータ読取可能記憶媒体において、
少なくとも１つのコンピュータに、
初期化メッセージを受信させ、
一意的な識別子から、タイミングオフセットを把握させ、
第１の周波数において、前記フェムトセルを動作させ、
少なくとも１つのビーコン信号をブロードキャストさせるためのコードを含み、
前記初期化メッセージは、前記フェムトセルに関係付けられている前記一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストし、
前記フェムトセルを動作させること、または、前記少なくとも１つのビーコン信号をブロードキャストすることのうちの少なくとも１つは、前記タイミングオフセットに基づいているコンピュータ読取可能記憶媒体。
【請求項１４】
フェムトセルからのビーコン支援ハンドオーバーを促進する装置において、
初期化メッセージを受信する手段と、
一意的な識別子から、タイミングオフセットを把握する手段と、
第１の周波数において、前記フェムトセルを動作させる手段と、
少なくとも１つのビーコン信号をブロードキャストする手段とを具備し、
前記初期化メッセージは、前記フェムトセルに関係付けられている前記一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストし、
前記フェムトセルを動作させる手段、または、前記少なくとも１つのビーコン信号をブロードキャストする手段のうちの少なくとも１つは、前記タイミングオフセットに基づいている装置。
【請求項１５】
ワイヤレス端末を検出する手段をさらに具備し、前記少なくとも１つのビーコン信号を制御することにより、前記ワイヤレス端末との潜在的な干渉を軽減させる請求項１４記載の装置。
【請求項１６】
ビーコン支援ハンドオーバーの管理を促進する方法において、
フェムトセルから通信をプロセッサによって受信することと、
前記通信の関数として、前記フェムトセルに対して一意的な識別子を割り当てることと、
前記フェムトセルに対して前記一意的な識別子を送信することとを含み、
前記一意的な識別子は、前記フェムトセルからビーコン信号をブロードキャストすることに関係付けられている初期化パラメータを識別し、前記一意的な識別子は、フェムトセルネットワーク内に割り当てられるフェムトセルに対する１セットのスクランブリングコードと、前記フェムトセルネットワーク内に割り当てられるビーコンに対する１セットのスクランブリングコードと、１セットの正の整数から選択されるオフセットとのクロス乗積から選択される方法。
【請求項１７】
前記通信は、前記フェムトセルにより選択されたスクランブリングコードを識別し、前記スクランブリングコードに基づいて、前記一意的な識別子を割り当てる請求項１６記載の方法。
【請求項１８】
前記一意的な識別子は、前記ビーコン信号に関係付けられているスクランブリングコード、または、前記ビーコン信号に関係付けられているタイミングオフセットのうちの少なくとも１つを識別する請求項１６記載の方法。
【請求項１９】
前記一意的な識別子は、さらに、前記フェムトセルの動作周波数に関係付けられているスクランブリングコード、または、前記フェムトセルの動作周波数に関係付けられているタイミングオフセットのうちの少なくとも１つを識別する請求項１６記載の方法。
【請求項２０】
ビーコン支援ハンドオーバーの管理を促進する装置において、
前記装置は、
フェムトセルから通信を受信するように構成されている受信コンポーネントと、
前記通信の関数として、前記フェムトセルに対して一意的な識別子を割り当てるように構成されている割り当てコンポーネントと、
前記フェムトセルに対して前記一意的な識別子を送信するように構成されている送信コンポーネントとを具備し、
前記一意的な識別子は、前記フェムトセルからビーコン信号をブロードキャストすることに関係付けられている初期化パラメータを識別し、前記一意的な識別子は、フェムトセルネットワーク内に割り当てられるフェムトセルに対する１セットのスクランブリングコードと、前記フェムトセルネットワーク内に割り当てられるビーコンに対する１セットのスクランブリングコードと、１セットの正の整数から選択されるオフセットとのクロス乗積から選択される装置。
【請求項２１】
前記通信は、前記フェムトセルにより選択されたスクランブリングコードを識別し、前記割り当てコンポーネントは、前記スクランブリングコードに基づいて、前記一意的な識別子を割り当てるように構成されている請求項２０記載の装置。
【請求項２２】
前記割り当てコンポーネントは、前記ビーコン信号に関係付けられているスクランブリングコード、または、前記ビーコン信号に関係付けられているタイミングオフセットのうちの少なくとも１つを把握するように構成され、前記一意的な識別子は、前記スクランブリングコードまたは前記タイミングオフセットのうちの少なくとも１つを識別する請求項２０記載の装置。
【請求項２３】
前記割り当てコンポーネントは、前記フェムトセルの動作周波数に関係付けられているスクランブリングコード、または、前記フェムトセルの動作周波数に関係付けられているタイミングオフセットのうちの少なくとも１つを把握するように構成され、前記一意的な識別子は、さらに、前記スクランブリングコードまたは前記タイミングオフセットのうちの少なくとも１つを識別する請求項２０記載の装置。
【請求項２４】
ビーコン支援ハンドオーバーの管理を促進するコンピュータ読取可能記憶媒体において、
少なくとも１つのコンピュータに、
フェムトセルから通信を受信させ、
前記通信の関数として、前記フェムトセルに対して一意的な識別子を割り当てさせ、
前記フェムトセルに対して前記一意的な識別子を送信させるためのコードを含み、
前記一意的な識別子は、前記フェムトセルからビーコン信号をブロードキャストすることに関係付けられている初期化パラメータを識別し、前記一意的な識別子は、フェムトセルネットワーク内に割り当てられるフェムトセルに対する１セットのスクランブリングコードと、前記フェムトセルネットワーク内に割り当てられるビーコンに対する１セットのスクランブリングコードと、１セットの正の整数から選択されるオフセットとのクロス乗積から選択されるコンピュータ読取可能記憶媒体。
【請求項２５】
ビーコン支援ハンドオーバーの管理を促進する装置において、
フェムトセルから通信を受信する手段と、
前記通信の関数として、前記フェムトセルに対して一意的な識別子を割り当てる手段と、
前記フェムトセルに対して前記一意的な識別子を送信する手段とを具備し、
前記一意的な識別子は、前記フェムトセルからビーコン信号をブロードキャストすることに関係付けられている初期化パラメータを識別し、前記一意的な識別子は、フェムトセルネットワーク内に割り当てられるフェムトセルに対する１セットのスクランブリングコードと、前記フェムトセルネットワーク内に割り当てられるビーコンに対する１セットのスクランブリングコードと、１セットの正の整数から選択されるオフセットとのクロス乗積から選択される装置。
【請求項２６】
前記通信は、前記フェムトセルにより選択されたスクランブリングコードを識別し、前記一意的な識別子を割り当てる手段は、前記スクランブリングコードに基づいている請求項２５記載の装置。
【発明の詳細な説明】
【関連出願に対する相互参照】
【０００１】
本出願は、“アクティブな通話中のＵＴＲＡＮ／ＵＭＴＳユーザのための、ホームノードＢへのビーコン支援ハンドオーバーを可能にするための方法および装置”と題し、２００９年２月１０日に出願された、米国仮特許出願シリアル番号第６１／１５１，４７１号と、“アクティブな通話中のＵＴＲＡＮ／ＵＭＴＳユーザのための、ホームノードＢへのビーコン支援ハンドオーバーを可能にするための方法および装置”と題し、２００９年６月１５日に出願された、米国仮特許出願シリアル番号第６１／１８７，２２８号との利益を主張する。前述の出願は、参照によりそれらのすべてがここに組み込まれている。
【背景】
【０００２】
Ｉ．分野
以下の説明は、一般的に、ワイヤレス通信に関し、さらに詳細には、アクティブな通話上でのユーザのための、フェムトセルへのビーコン支援ハンドオーバーを促進するための方法および装置に関する。
【０００３】
ＩＩ．背景
ワイヤレス通信システムは、音声、データ等のようなさまざまなタイプの通信コンテンツを提供するために、幅広く展開されている。これらのシステムは、利用可能なシステムリソース（例えば、帯域幅および送信電力）を共有することにより、複数のユーザとの通信をサポートすることが可能である多元接続システムであってもよい。このような多元接続システムの例には、コード分割多元接続（ＣＤＭＡ）システムと、時分割多元接続（ＴＤＭＡ）システムと、周波数分割多元接続（ＦＤＭＡ）システムと、３ＧＰＰロングタームエボリューション（ＬＴＥ）システムと、直交周波数分割多元接続（ＯＦＤＭＡ）システムとが含まれる。
【０００４】
一般的に、ワイヤレス多元接続通信システムは、複数のワイヤレス端末に対する通信を同時にサポートすることができる。各端末は、フォワードリンク上およびリバースリンク上の送信を通して、１つ以上の基地局と通信する。フォワードリンク（または、ダウンリンク）は、基地局から端末への通信リンクのことを指し、リバースリンク（または、アップリンク）は、端末から基地局への通信リンクのことを指す。この通信リンクは、単一入力単一出力、複数入力単一出力、または、複数入力複数出力（ＭＩＭＯ）のシステムを通して確立してもよい。
【０００５】
ＭＩＭＯシステムは、データ送信のために、複数（ＮT本）の送信アンテナと複数（ＮR本）の受信アンテナとを用いる。ＮT本の送信アンテナとＮR本の受信アンテナとにより形成されるＭＩＭＯチャネルは、ＮS個の独立したチャネルに分解することができ、これは、空間チャネルとしても呼ばれ、ここで、ＮS≦ｍｉｎ｛ＮT，ＮR｝である。ＮS個の独立したチャネルのそれぞれは、次元に対応する。ＭＩＭＯシステムは、複数の送信アンテナおよび受信アンテナにより生成される付加的な次元を利用する場合に、改善された性能（例えば、より高いスループットおよび／またはより大きな信頼性）を提供することができる。
【０００６】
ＭＩＭＯシステムは、時分割デュプレックス（ＴＤＤ）システムと周波数分割デュプレックス（ＦＤＤ）システムをサポートする。ＴＤＤシステムでは、相互関係原理により、リバースリンクチャネルからフォワードリンクチャネルの推定が可能になるように、フォワードリンク送信とリバースリンク送信は、同じ周波数領域上にある。これにより、アクセスポイントにおいて複数のアンテナが利用可能であるときに、アクセスポイントが、フォワードリンク上で、送信ビームフォーミング利得を抽出することが可能になる。
【０００７】
セルラネットワークでは、マクロノードＢ（ＭＮＢ）が、ある地理的なエリアにわたって、非常に多数のユーザに対して接続性とカバレッジを提供している。マクロネットワーク配置は、地理的な領域にわたって良好なカバレッジを提供するように、慎重に計画され、設計され、実現されている。このような慎重な計画は必要であるが、特に、室内環境では、フェーディング、マルチパス、シャドウイング等のようなチャネル特性に適応することができない。それゆえ、室内ユーザは、結果として悪いユーザ経験になるカバレッジ問題（通話停止、品質低下）に直面することが多い。
【０００８】
フェムトセルまたはホームノードＢ（ＨＮＢ）として知られる小型化された基地局は、セルラカバレッジを建物内に拡張することにより、この問題を取り扱うことが期待されている。フェムトセルは、ユーザの家の中に設置されていてもよく、既存のブロードバンドインターネット接続を使用して、移動体ユニットに室内ワイヤレスカバレッジを提供する、新しい分類の基地局である。
【０００９】
しかしながら、非常に多数のＨＮＢの計画されていない配置は、対処が必要になるいくつかの課題を生成させる可能性が高い。例えば、移動体ユーザがフェムトセルに近づいたときに（例えば、セルラ加入者が帰宅したときに）、その特定のフェムトセルにハンドオーバーできることが望ましい。しかし、フェムトセルを一意的に識別して、このようなハンドオーバーを促進することは難しいかもしれない。マクロネットワークでは典型的に、あるカバレッジエリア中のＭＮＢに対して、一意的なプライマリースクラブリングコード（ＰＳＣ）を割り当てることにより、ＭＮＢの識別を達成している。しかしながら、割り振られ、再使用されるＰＳＣの数が限られていることと、ＭＮＢと比較してＨＮＢのスケールカバレッジが小さいことから、フェムトセル配置では、このことが実現可能ではない。それゆえ、ＨＮＢ識別のためにＰＳＣを使用することは、結果として、アクティブなハンドイン手順間の曖昧さになり、誤ったＨＮＢ識別は、結果として、ネットワーク性能の極度の低下になるだろう。
【００１０】
別の課題は、ＵＭＴＳ−フェムトセルネットワーク配置中で複数の周波数（ｆ１、ｆ２、．．．、ｆｎ）が使用されるときのフェムトセルカバレッジの検出である。１つの周波数上の、例えば、ｆ１上のマクロ無線ネットワーク制御装置（ＲＮＣ）とのアクティブな通話中であるワイヤレス端末には、他の周波数（ｆ２、ｆ３、．．．、ｆｎ）上のＨＮＢにより提供されている良好なカバレッジがあるときでさえ、これらの周波数上のＨＮＢの存在を検出することができない。したがって、フェムトセルカバレッジエリア中のワイヤレス端末は、望ましくないことに、マクロセルネットワークに接続したままである。したがって、ワイヤレス端末は、フェムトセルネットワークカバレッジの存在を決して検出せず、それゆえ、その利益を活用することができないだろう。このようなシナリオは、結果として、悪いユーザ経験と、使用されていないＨＮＢ容量とになるかもしれない。
【００１１】
したがって、マクロネットワークにより促進されるアクティブな通信の間に、フェムトセルカバレッジを効率的に検出および識別するための方法ならびに装置を開発することが望ましいだろう。
【００１２】
現在のワイヤレス通信システムの上記で説明した欠陥は、従来のシステムの問題のうちのいくつかについての概略を提供することを意図しているに過ぎず、網羅的であるように意図されていない。従来のシステムでの他の問題と、ここで説明するさまざまな限定的でない実施形態の対応する利益とは、以下の説明をレビューしたときにさらに明らかになる。
【概要】
【００１３】
以下のものは、このような実施形態の基本的な理解を提供するために、１つ以上の実施形態の簡略化した概要を提示する。この概要は、すべての考えられる実施形態の広範囲にわたる概略ではなく、すべての実施形態のキーエレメントまたは重要なエレメントを識別すること、あるいは、任意の実施形態またはすべての実施形態の範囲を詳細に述べることのどちらも意図していない。この唯一の目的は、後に提示するさらに詳細な説明に対する前置きとして、１つ以上の実施形態のうちのいくつかの概念を簡略化した形態で提示することである。
【００１４】
１つ以上の実施形態と、それらの対応する開示とにしたがうと、アクティブな通話上でのユーザのための、ビーコン支援ハンドオーバーを促進することに関連して、さまざまな態様を説明する。１つの態様では、ワイヤレス端末からのビーコン支援ハンドオーバーを促進するための方法およびコンピュータプログラムプロダクトを説明する。このような実施形態内では、マクロネットワークによりアクティブな通信が促進される、基地局とのアクティブな通信の間に、制御メッセージを受信する。制御メッセージ中で識別された、フェムトセルにより送信されたビーコンに関係付けられている周波数は、その後、ワイヤレス端末によりスキャンされる。その後、報告が基地局に送信され、報告は、ビーコンに関係付けられている属性を含む。
【００１５】
別の態様では、ワイヤレス端末からのビーコン支援ハンドオーバーを促進する装置が開示されている。このような実施形態内では、装置は、メモリ中に記憶されているコンピュータ実行可能なコンポーネントを実行するように構成されているプロセッサを具備する。コンピュータ実行可能なコンポーネントは、受信コンポーネントと、スキャニングコンポーネントと、送信コンポーネントとを含む。受信コンポーネントは、マクロネットワークによりアクティブな通信が促進される、基地局とのアクティブな通信の間に、制御メッセージを受信するように構成されている。スキャニングコンポーネントは、制御メッセージ中で識別された、フェムトセルにより送信されたビーコンに関係付けられている周波数をスキャンするように構成されている。この実施形態に対しては、ビーコンに関係付けられている周波数は、フェムトセルの動作周波数とは異なるものである。そして、送信コンポーネントは、基地局に報告を送信するように構成されており、報告は、ビーコンに関係付けられている属性を含む。
【００１６】
さらなる態様において、別の装置が開示されている。このような実施形態内では、装置は、制御メッセージを受信する手段と、スキャニングする手段と、送信する手段とを具備している。この実施形態に対しては、基地局を通してマクロネットワークにより、アクティブな通信が促進される、基地局とのアクティブな通信の間に、制御メッセージを受信する。スキャニングする手段は、制御メッセージ中で識別された周波数をスキャニングする手段を備え、周波数は、フェムトセルにより送信されたビーコンに関係付けられている。送信する手段は、ビーコンに関係付けられている属性を含む報告を基地局に送信する手段を備える。
【００１７】
別の態様では、フェムトセルからのビーコン支援ハンドオーバーを促進する方法およびコンピュータプログラムプロダクトが開示されている。このような実施形態内では、フェムトセルに関係付けられている一意的な識別子を含む初期化メッセージを受信する。その後、一意的な識別子の関数として、第１の周波数において、フェムトセルを動作させる。その後、第１の周波数とは異なる第２の周波数において、少なくとも１つのビーコン信号をブロードキャストし、ここでは、一意的な識別子にしたがって、少なくとも１つのビーコン信号をブロードキャストする。
【００１８】
フェムトセルからのビーコン支援ハンドオーバーを促進する装置も開示されている。このような実施形態内では、装置は、メモリ中に記憶されているコンピュータ実行可能なコンポーネントを実行するように構成されているプロセッサを具備する。コンピュータ実行可能なコンポーネントは、受信コンポーネントと、動作コンポーネントと、送信コンポーネントとを含む。受信コンポーネントは、フェムトセルに関係付けられている一意的な識別子を含む初期化メッセージを受信するように構成されている。動作コンポーネントは、一意的な識別子の関数として、第１の周波数においてフェムトセルを動作させる。そして、送信コンポーネントは、第１の周波数とは異なる第２の周波数において、少なくとも１つのビーコン信号をブロードキャストするように構成されており、ここでは、一意的な識別子にしたがって、少なくとも１つのビーコン信号をブロードキャストする。  
さらなる態様では、別の装置が開示されている。このような実施形態内では、装置は、初期化メッセージを受信する手段と、動作させる手段と、ブロードキャストする手段と、ワイヤレス端末を検出する手段とを具備している。この実施形態に対しては、フェムトセルに関係付けられている一意的な識別子を含む初期化メッセージを受信する。動作させる手段は、第１の周波数においてフェムトセルを動作させる手段を備え、ここで、一意的な識別子の関数として、フェムトセルを動作させる。ブロードキャストする手段は、少なくとも１つのビーコン信号をブロードキャストする手段を備え、ここで、第１の周波数とは異なる第２の周波数において、少なくとも１つのビーコン信号をブロードキャストし、一意的な識別子にしたがって、少なくとも１つのビーコン信号をブロードキャストする。少なくとも１つのビーコン信号を制御することにより、ワイヤレス端末もまた検出し、ここで、ワイヤレス端末との潜在的な干渉を軽減させる。
【００１９】
他の態様では、ビーコン支援ハンドオーバーを管理する方法およびコンピュータプログラムプロダクトが開示されている。このような実施形態内では、フェムトセルから通信を受信し、ここで、通信の関数として、一意的な識別子をフェムトセルに対して割り当てる。この実施形態に対しては、一意的な識別子は、フェムトセルからビーコン信号をブロードキャストすることに関係付けられている初期化パラメータを識別する。その後、フェムトセルに対して一意的な識別子を送信する。
【００２０】
ビーコン支援ハンドオーバーを管理する装置も開示されている。このような実施形態内では、装置は、メモリ中に記憶されているコンピュータ実行可能なコンポーネントを実行するように構成されているプロセッサを具備する。コンピュータ実行可能なコンポーネントは、受信コンポーネントと、割り当てコンポーネントと、送信コンポーネントとを含む。受信コンポーネントは、フェムトセルから通信を受信するように構成されているのに対し、割り当てコンポーネントは、通信の関数として、フェムトセルに対して一意的な識別子を割り当てるように構成されている。この実施形態に対しては、一意的な識別子は、フェムトセルからビーコン信号をブロードキャストすることに関係付けられている初期化パラメータを識別する。そして、送信コンポーネントは、フェムトセルに対して一意的な識別子を送信するように構成されている。  
さらなる態様では、別の装置が開示されている。このような実施形態内では、装置は、通信を受信する手段と、一意的な識別子を割り当てる手段と、一意的な識別子を送信する手段とを具備している。この実施形態に対しては、フェムトセルから通信を受信する。通信の関数として、一意的な識別子がフェムトセルに対して識別されており、ここで、一意的な識別子は、フェムトセルからビーコン信号をブロードキャストすることに関係付けられている初期化パラメータを識別する。その後、フェムトセルに対して一意的な識別子を送信する。
【００２１】
さらに別の態様では、マクロネットワークからのビーコン支援ハンドオーバーを促進する方法およびコンピュータプログラムプロダクトが開示されている。このような実施形態内では、フェムトセルにより送信されたビーコンに関係付けられている周波数をスキャンするようにワイヤレス端末に命令する制御メッセージを発生させる。この実施形態に対しては、周波数は、フェムトセルの動作周波数とは異なる。その後、ワイヤレス端末に対して制御メッセージを送信し、後続して、少なくとも１つのビーコン属性を含む報告を、ワイヤレス端末から受信する。その後、少なくとも１つのビーコン属性に基づいて、フェムトセルの検出と識別を把握し、ここで、識別により、フェムトセルへのハンドオーバーが促進される。
【００２２】
マクロネットワークからのビーコン支援ハンドオーバーを促進する装置も開示されている。このような実施形態内では、装置は、メモリ中に記憶されているコンピュータ実行可能なコンポーネントを実行するように構成されているプロセッサを具備する。コンピュータ実行可能なコンポーネントは、メッセージ発生コンポーネントと、送信コンポーネントと、受信コンポーネントと、検出コンポーネントと、識別コンポーネントとを含む。メッセージ発生コンポーネントは、フェムトセルにより送信されたビーコンに関係付けられている周波数をスキャンするようにワイヤレス端末に命令する制御メッセージを発生させるように構成されている。この実施形態に対しては、周波数は、フェムトセルの動作周波数とは異なる。送信コンポーネントは、ワイヤレス端末に対して制御メッセージを送信するように構成されているのに対し、受信コンポーネントは、少なくとも１つのビーコン属性を含む報告をワイヤレス端末から受信するように構成されている。検出コンポーネントは、少なくとも１つのビーコン属性に基づいて、フェムトセルの検出を把握するように構成されている。そして、識別コンポーネントは、少なくとも１つのビーコン属性に基づいて、フェムトセルの識別を把握するように構成されており、ここで、識別により、フェムトセルへのハンドオーバーが促進される。  
さらなる態様では、別の装置が開示されている。このような実施形態内では、装置は、制御メッセージを発生させる手段と、制御メッセージを送信する手段と、報告を受信する手段と、検出を把握する手段と、識別を決定する手段と、命令する手段とを具備している。この実施形態に対しては、フェムトセルにより送信されたビーコンに関係付けられている周波数をスキャンするようにワイヤレス端末に命令する制御メッセージを発生させ、ここで、周波数は、フェムトセルの動作周波数とは異なる。ワイヤレス端末に対して、制御メッセージを送信する。少なくとも１つのビーコン属性を含む報告をワイヤレス端末から受信する。少なくとも１つのビーコン属性に基づいて、フェムトセルの検出を把握する。少なくとも１つのビーコン属性に基づいて、フェムトセルの識別を把握し、ここで、識別により、フェムトセルへのハンドオーバーが促進される。フェムトセルの動作周波数に関するスキャンを実行するようにも、ワイヤレス端末に命令し、ここで、報告は、フェムトセル属性をさらに含み、ここで、検出または識別の少なくとも１つは、フェムトセル属性に基づいている。
【００２３】
先の目的および関連する目的を達成するために、１つ以上の実施形態は、後に完全に説明する特徴、および、特許請求の範囲中で特に指摘する特徴を含んでいる。以下の説明および添付図面により、１つ以上の実施形態のある例示的な態様を詳細に述べる。しかしながら、これらの態様は、さまざまな実施形態の原理を用いることができるさまざまな方法のうちのいくつかを示しており、説明する実施形態は、このようなすべての態様およびそれらの均等物を含むことを意図している。
【図面の簡単な説明】
【００２４】
【図１】図１は、ここで述べるさまざまな態様にしたがった、ワイヤレス通信システムの例である。
【図２】図２は、ここで説明するさまざまなシステムおよび方法に関連して用いることができる例示的なワイヤレスネットワーク環境の例である。
【図３】図３は、ネットワーク環境内での、アクセスポイント基地局の配置を可能にする例示的な通信システムを示している。
【図４】図４は、主題的な明細書の態様にしたがった、ビーコン支援ハンドオーバーを促進するための例示的なシステムの概略である。
【図５】図５は、主題的な明細書の態様にしたがった、ビーコン支援ハンドオーバーを促進するための例示的な手順を示している。
【図６】図６は、主題的な明細書の態様にしたがった、ビーコン支援ハンドオーバーを促進する例示的なワイヤレス端末のブロックダイヤグラムを示している。
【図７】図７は、ワイヤレス端末からのビーコン支援ハンドオーバーの促進を行う電気的コンポーネントの例示的な結合の例である。
【図８】図８は、主題的な明細書の態様にしたがった、ワイヤレス端末からのビーコン支援ハンドオーバーを促進するための例示的な方法論を示すフローチャートである。
【図９】図９は、主題的な明細書の態様にしたがった、ビーコン支援ハンドオーバーを促進する例示的なフェムトセルシステムのブロックダイヤグラムを示している。
【図１０】図１０は、フェムトセルからのビーコン支援ハンドオーバーの促進を行う電気的コンポーネントの例示的な結合の例である。
【図１１】図１１は、主題的な明細書の態様にしたがった、フェムトセルからのビーコン支援ハンドオーバーを促進するための例示的な方法論を示すフローチャートである。
【図１２】図１２は、主題的な明細書の態様にしたがった、ビーコン支援ハンドオーバーを管理するための例示的なフェムトセル管理システムのブロックダイヤグラムを示している。
【図１３】図１３は、ビーコン支援ハンドオーバーの管理を行う電気的コンポーネントの例示的な結合の例である。
【図１４】図１４は、主題的な明細書の態様にしたがった、ビーコン支援ハンドオーバーを管理するための例示的な方法論を示すフローチャートである。
【図１５】図１５は、主題的な明細書の態様にしたがった、ビーコン支援ハンドオーバーを促進する例示的なマクロネットワークデバイスのブロックダイヤグラムを示している。
【図１６】図１６は、マクロネットワークデバイスからのビーコン支援ハンドオーバーの促進を行う電気的コンポーネントの例示的な結合の例である。
【図１７】図１７は、主題的な明細書の態様にしたがった、マクロネットワークデバイスからのビーコン支援ハンドオーバーを促進するための例示的な方法論を示すフローチャートである。
【図１８】図１８は、複数のセルを含むさまざまな態様にしたがって実現される例示的な通信システムの例である。
【図１９】図１９は、ここで説明するさまざまな態様にしたがった、例示的な基地局の例である。
【図２０】図２０は、ここで説明するさまざまな態様にしたがって実現される例示的なワイヤレス端末の例である。
【詳細な説明】
【００２５】
図面を参照して、ここで、さまざまな実施形態を説明し、ここで、同一の参照番号は、全体を通して、同一のエレメントのことを指すように使用している。以下の説明では、説明する目的のために、１つ以上の実施形態の完全な理解を提供するために、多くの特定の詳細を述べている。しかしながら、これらの特定の詳細がなくても、このような実施形態を実施できることは明白である。他の例では、１つ以上の実施形態の説明を促進するために、よく知られている構造およびデバイスを、ブロックダイヤグラムの形態で示している。
【００２６】
主題的な明細書は、ビーコンを用いて、ＵＭＴＳ−フェムトセルネットワーク中でＨＮＢを識別および検出することに関する前述の問題を取り扱うための方法および装置を開示している。ある態様において、ＨＮＢは、ＨＮＢの検出を促進するビーコンを、異なる周波数（ｆ２、ｆ３、．．．、ｆｎ）上で送信する。さらに、ＨＮＢの識別は、一意的な識別属性を割り当てることにより達成される。例えば、実施形態において、ＨＮＢ識別属性は、ＨＮＢに割り当てられている１セットの拡散シーケンスと、ビーコンに割り当てられている１セットの拡散シーケンスと、１セットのシステムフレーム番号（ＳＦＮ）オフセットとのクロス乗積から取られたタプルである。ＭＮＢへのワイヤレス端末報告は、ＨＮＢを一意的に識別するために方法が取り出すＨＮＢ識別属性を含んでいる。ある態様において、方法は、フェムトセル管理システム中に存在し、ここで、提案されるアプローチは、レガシーＵＥにも適用可能である。
【００２７】
ここで説明する技術を、コード分割多元接続（ＣＤＭＡ）、時分割多元接続（ＴＤＭＡ）、周波数分割多元接続（ＦＤＭＡ）、直交周波数多元接続（ＯＦＤＭＡ）、単一搬送波周波数分割多元接続（ＳＣ−ＦＤＭＡ）、高速パケットアクセス（ＨＳＰＡ）、および、他のシステムのような、さまざまなワイヤレス通信システムに対して使用することができる。用語“システム”および“ネットワーク”は、区別なく使用することが多い。ＣＤＭＡシステムは、ユニバーサル地上無線アクセス（ＵＴＲＡ）、ＣＤＭＡ２０００等のような、無線技術を実現することができる。ＵＴＲＡは、ワイドバンドＣＤＭＡ（Ｗ−ＣＤＭＡ）と、ＣＤＭＡの他の変形とを含んでいる。ＣＤＭＡ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ（登録商標））のような、無線技術を実現することができる。ＯＦＤＭＡシステムは、エボルブドＵＴＲＡ（Ｅ−ＵＴＲＡ）や、ウルトラモバイルブロードバンド（ＵＭＢ）や、ＩＥＥＥ８０２．１１（ＷｉＦｉ（登録商標））や、ＩＥＥＥ８０２．１６（ＷｉＭＡＸ）や、ＩＥＥＥ８０２．２０や、フラッシュＯＦＤＭ（登録商標）等のような、無線技術を実現することができる。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳの来たるべきリリースであり、ダウンリンク上ではＯＦＤＭＡを用い、アップリンク上ではＳＣ−ＦＤＭＡを用いる。
【００２８】
単一搬送波周波数分割多元接続（ＳＣ−ＦＤＭＡ）は、単一搬送波変調と周波数ドメイン等化とを利用する。ＳＣ−ＦＤＭＡは、ＯＦＤＭＡシステムのものと、類似する性能と、事実上同じ全体的な複雑さとを有している。ＳＣ−ＦＤＭＡ信号は、その固有の単一搬送波構造のために、より低いピーク対平均電力比（ＰＡＰＲ）を有している。ＳＣ−ＦＤＭＡは、例えば、送信電力効率性の観点から、より低いＰＡＰＲがアクセス端末に非常に利益をもたらすアップリンク通信において、使用することができる。したがって、３ＧＰＰロングタームエボリューション（ＬＴＥ）またはエボルブドＵＴＲＡにおけるアップリンク多元接続スキームとして、ＳＣ−ＦＤＭＡを実現することができる。
【００２９】
高速パケットアクセス（ＨＳＰＡ）は、高速ダウンリンクパケットアクセス（ＨＳＤＰＡ）技術と、高速アップリンクパケットアクセス（ＨＳＵＰＡ）または拡張アップリンク（ＥＵＬ）技術とを含むことができ、ＨＳＰＡ＋技術も含むことができる。ＨＳＤＰＡと、ＨＳＵＰＡと、ＨＳＰＡ＋は、それぞれ、第三世代パートナーシッププロジェクト（３ＧＰＰ）仕様のリリース５と、リリース６と、リリース７の一部である。
【００３０】
高速ダウンリンクパケットアクセス（ＨＳＤＰＡ）は、ネットワークからユーザ機器（ＵＥ）へのデータ送信を最適化する。ここで使用するように、ネットワークからユーザ機器ＵＥへの送信は、“ダウンリンク”（ＤＬ）として呼ぶことがある。送信方法は、数Ｍビット／秒のデータレートを許容することができる。高速ダウンリンクパケットアクセス（ＨＳＤＰＡ）は、移動体無線ネットワークの容量を増加させることができる。高速アップリンクパケットアクセス（ＨＳＵＰＡ）は、端末からネットワークへのデータ送信を最適化することができる。ここで使用するように、端末からネットワークへの送信は、“アップリンク”（ＵＬ）として呼ぶことがある。アップリンクデータ送信方法は、数Ｍビット／秒のデータレートを許容することができる。ＨＳＰＡ＋は、３ＧＰＰ仕様のリリース７中で指定されているように、アップリンクとダウンリンクの双方におけるさらなる改善さえも提供する。高速パケットアクセス（ＨＳＰＡ）方法は、典型的に、例えば、ボイスオーバーＩＰ（ＶｏＩＰ）と、テレビ会議と、モバイルオフィスアプリケーションとのような、大量のデータを送信するデータサービスにおいて、ダウンリンクとアップリンクとの間のより高速の対話を可能にする。
【００３１】
ハイブリッド自動反復要求（ＨＡＲＱ）のような、高速データ送信プロトコルは、アップリンク上とダウンリンク上とで使用することができる。ハイブリッド自動反復要求（ＨＡＲＱ）のような、このようなプロトコルにより、間違って受信したかもしれないパケットの再送信を受信者が自動的に要求することが可能になる。
【００３２】
アクセス端末に関連して、ここで、さまざまな実施形態を説明する。アクセス端末は、システム、加入者ユニット、加入者局、移動局、移動体、遠隔局、遠隔端末、移動体デバイス、ユーザ端末、端末、ワイヤレス通信デバイス、ユーザエージェント、ユーザデバイス、または、ユーザ機器（ＵＥ）と呼ぶこともできる。アクセス端末は、セルラ電話機、コードレス電話機、セッション開始プロトコル（ＳＩＰ）電話機、ワイヤレスローカルループ（ＷＬＬ）局、パーソナルデジタルアシスタント（ＰＤＡ）、ワイヤレス接続能力を有するハンドヘルドデバイス、コンピューティングデバイス、または、ワイヤレスモデムに接続されている他の処理デバイスとすることができる。さらに、基地局に関連して、ここで、さまざまな実施形態を説明する。基地局は、アクセス端末と通信するために使用することができ、アクセスポイント、ノードＢ、エボルブドノードＢ（ｅノードＢ）、または、他の何らかの専門用語として呼ぶこともある。
【００３３】
ここで図１を参照すると、ここで提示するさまざまな実施形態にしたがった、ワイヤレス通信システム１００が示されている。システム１００は、複数のアンテナグループを含むことがある基地局１０２を含んでいる。例えば、１つのアンテナグループは、アンテナ１０４およびアンテナ１０６を含むことができ、別のグループは、アンテナ１０８およびアンテナ１１０を含むことができ、さらに他のグループは、アンテナ１１２およびアンテナ１１４を含むことができる。各アンテナグループに対して２つのアンテナが示されている；しかしながら、各アンテナグループに対して、より多いまたはより少ないアンテナを利用することができる。基地局１０２は、さらに、送信機チェーンと受信機チェーンとを具備し、そのそれぞれは、当業者により正しく認識されるように、さらに、信号の送受信に関係する複数のコンポーネント（例えば、プロセッサ、変調器、マルチプレクサ、復調器、デマルチプレクサ、アンテナ等）を備えることができる。
【００３４】
基地局１０２は、アクセス端末１１６およびアクセス端末１２２のような、１つ以上のアクセス端末と通信することができる；しかしながら、基地局１０２は、アクセス端末１１６とアクセス端末１２２とに類似する、実質的に任意の数のアクセス端末と通信できることを正しく認識すべきである。アクセス端末１１６およびアクセス端末１２２は、例えば、セルラ電話機や、スマートフォンや、ラップトップや、ハンドヘルド通信デバイスや、ハンドヘルドコンピューティングデバイスや、衛星ラジオや、グローバルポジショニングシステムや、ＰＤＡや、および／または、ワイヤレス通信システム１００を通して通信する他の何らかの適切なデバイスとすることができる。表されているように、アクセス端末１１６は、アンテナ１１２およびアンテナ１１４と通信し、ここで、アンテナ１１２およびアンテナ１１４は、フォワードリンク１１８を通してアクセス端末１１６に情報を送信し、リバースリンク１２０を通してアクセス端末１１６から情報を受信する。さらに、アクセス端末１２２は、アンテナ１０４およびアンテナ１０６と通信し、ここで、アンテナ１０４およびアンテナ１０６は、フォワードリンク１２４を通してアクセス端末１２２に情報を送信し、リバースリンク１２６を通してアクセス端末１２２から情報を受信する。周波数分割デュプレックス（ＦＤＤ）システムにおいて、例えば、フォワードリンク１１８は、リバースリンク１２０により使用されるものとは異なる周波数帯域を利用することができ、フォワードリンク１２４は、リバースリンク１２６により用いられているものとは異なる周波数帯域を用いることができる。さらに、時分割デュプレックス（ＴＤＤ）システムにおいて、フォワードリンク１１８およびリバースリンク１２０は、共通の周波数帯域を利用することができ、フォワードリンク１２４およびリバースリンク１２６は、共通の周波数帯域を利用することができる。
【００３５】
各アンテナのグループをおよび／または各アンテナのグループが通信するように指定されているエリアを、基地局１０２のセクターとして呼ぶことがある。例えば、アンテナグループは、基地局１０２によりカバーされているエリアのセクター中で、アクセス端末に通信するように設計することができる。フォワードリンク１１８およびフォワードリンク１２４を通しての通信では、基地局１０２の送信アンテナは、アクセス端末１１６とアクセス端末１２２とに対するフォワードリンク１１８およびフォワードリンク１２４の信号対ノイズ比を改善するために、ビームフォーミングを利用することができる。また、基地局１０２がビームフォーミングを利用して、関係するカバレッジエリア中にランダムに散らばっているアクセス端末１１６およびアクセス端末１２２に送信している間、単一のアンテナを通して、基地局が、そのすべてのアクセス端末に送信するのと比較すると、隣接するセル中のアクセス端末は、受ける干渉が少なくなる。
【００３６】
図２は、例示的なワイヤレス通信システム２００を示している。ワイヤレス通信システム２００は、簡潔さのために、１つの基地局２１０と１つのアクセス端末２５０とを表している。しかしながら、システム２００は、１つより多い基地局および／または１つより多いアクセス端末を含むことができ、ここで、付加的な基地局および／または付加的なアクセス端末は、下記で説明する例示的な基地局２１０およびアクセス端末２５０と、実質的に、類似していることがあり、または、異なっていることがあることを正しく認識すべきである。加えて、基地局２１０および／またはアクセス端末２５０は、それらの間でのワイヤレス通信を促進するために、ここで説明するシステムおよび／または方法を用いることができることを正しく認識すべきである。
【００３７】
基地局２１０において、多数のデータストリームに対するトラフィックデータが、データソース２１２から送信（ＴＸ）データプロセッサ２１４に提供される。例にしたがうと、各データストリームは、それぞれのアンテナを通して送信することができる。ＴＸデータプロセッサ２１４は、そのデータストリームに対して選択された特定のコーディングスキームに基づいて、トラフィックデータストリームをフォーマットし、コード化し、および、インターリーブし、コード化されたデータを提供する。
【００３８】
各データストリームに対するコード化されたデータは、直交周波数分割多重化（ＯＦＤＭ）技術を使用して、パイロットデータと多重化することができる。付加的にあるいは代替的に、パイロットシンボルは、周波数分割多重化（ＦＤＭ）でき、時分割多重化（ＴＤＭ）でき、または、コード分割多重化（ＣＤＭ）できる。パイロットデータは、典型的に、既知の方法で処理される既知のデータパターンであり、チャネル応答を推定するために、アクセス端末２５０において使用することができる。各データストリームに対する多重化されたパイロットおよびコード化データは、そのデータストリームに対して選択された特定の変調スキーム（例えば、二位相偏移変調（ＢＰＳＫ）、四位相偏移変調（ＱＳＰＫ）、Ｍ位相偏移変調（Ｍ−ＰＳＫ）、または、Ｍ直角位相振幅変調（Ｍ−ＱＡＭ）等）に基づいて、変調（すなわち、シンボルマッピング）し、変調シンボルを提供することができる。各データストリームに対する、データレート、コーディング、および、変調は、プロセッサ２３０により実行または提供される命令により決定することができる。
【００３９】
データストリームに対する変調シンボルは、ＴＸ ＭＩＭＯプロセッサ２２０に提供することができ、ＴＸ ＭＩＭＯプロセッサ２２０は、（例えば、ＯＦＤＭのために）変調シンボルをさらに処理することができる。ＴＸ ＭＩＭＯプロセッサ２２０は、その後、ＮＴ個の変調シンボルストリームをＮＴ台の送信機（ＴＭＴＲ）２２２ａないし２２２ｔに提供する。さまざまな実施形態では、ＴＸ ＭＩＭＯプロセッサ２２０は、データストリームのシンボルと、そこからシンボルが送信されるアンテナとに対して、ビームフォーミングの重みを適用する。
【００４０】
各送信機２２２は、それぞれのシンボルストリームを受け取って処理し、１つ以上のアナログ信号を提供し、さらに、アナログ信号を調整して（例えば、増幅して、フィルタリングして、および、アップコンバートして）、ＭＩＭＯチャネルを通しての送信に適した変調された信号を提供する。さらに、送信機２２２ａないし２２２ｔからのＮＴ個の変調信号は、ＮＴ本のアンテナ２２４ａないし２２４ｔから、それぞれ送信される。
【００４１】
アクセス端末２５０において、ＮR本のアンテナ２５２ａないし２５２ｒにより、送信変調信号を受信し、各アンテナ２５２から受信した信号は、それぞれの受信機（ＲＣＶＲ）２５４ａないし２５４ｒに提供される。各受信機２５４は、それぞれの信号を調整し（例えば、フィルタリングし、増幅し、および、ダウンコンバートし）、調整した信号をデジタル化して、サンプルを提供し、さらに、サンプルを処理して、対応する“受信した”シンボルストリームを提供する。
【００４２】
ＲＸデータプロセッサ２６０は、特定の受信機処理技術に基づいて、ＮR台の受信機２５４からＮR個の受信したシンボルストリームを受け取って処理し、ＮT個の“検出した”シンボルストリームを提供する。ＲＸデータプロセッサ２６０は、各検出したシンボルストリームを復調し、デインターリーブし、および、デコードし、データストリームに対するトラフィックデータを復元する。ＲＸデータプロセッサ２６０による処理は、基地局２１０における、ＴＸ ＭＩＭＯプロセッサ２２０とＴＸデータプロセッサ２１４とにより実行される処理と相補的である。
【００４３】
上記で論じたように、プロセッサ２７０は、どの利用可能な技術を利用するかを周期的に決定することができる。さらに、プロセッサ２７０は、行列インデックス部分とランク値部分とを含むリバースリンクメッセージを構築することができる。
【００４４】
リバースリンクメッセージは、通信リンクにおよび／または受信したデータストリームに関する、さまざまなタイプの情報を含むことができる。リバースリンクメッセージは、データソース２３６から多数のデータストリームに対するトラフィックデータも受信するＴＸデータプロセッサ２３８により処理し、変調器２８０により変調し、送信機２５４ａないし２５４ｒにより調整し、基地局２１０に返信することができる。
【００４５】
基地局２１０において、アクセス端末２５０からの変調信号は、アクセス端末２５０により送信されたリバースリンクメッセージを抽出するために、アンテナ２２４により受信され、受信機２２２により調整され、復調器２４０により復調され、ＲＸデータプロセッサ２４２により処理される。さらに、プロセッサ２３０は、抽出したメッセージを処理し、ビームフォーミングの重みを決定するために、どのプリコーディング行列を使用するかを決定することができる。
【００４６】
プロセッサ２３０およびプロセッサ２７０は、それぞれ、基地局２１０における動作とアクセス端末２５０における動作とを命令する（例えば、制御する、調整する、管理する等）。それぞれのプロセッサ２３０およびプロセッサ２７０は、プログラムコードおよびデータを記憶するメモリ２３２およびメモリ２７２に関係付けることができる。プロセッサ２３０およびプロセッサ２７０は、アップリンクおよびダウンリンクに対する周波数応答推定とインパルス応答推定とをそれぞれ導出するための計算を実行することもできる。
【００４７】
図３は、ネットワーク環境内でアクセスポイント基地局の配置を可能にする例示的な通信システムを示している。図３において示されているように、システム３００は、複数のアクセスポイント基地局を含み、または、代替実施形態では、例えば、ＨＮＢ３１０のような、フェムトセル、ホームノードＢユニット（ＨＮＢ）、または、ホームエボルブドノードＢユニット（ＨｅＮＢ）を含み、それぞれが、例えば、１つ以上のユーザ住居３３０のような、対応する小さいスケールのネットワーク環境中に設置されており、関係するユーザ機器（ＵＥ）または関係する移動局３２０とともに、エイリアンのユーザ機器（ＵＥ）またはエイリアンの移動局３２０を担当するように構成されている。各ＨＮＢ３１０は、さらに、（示されていない）ＤＳＬルータを通して、または、代替的に、（示されていない）ケーブルモデムを通して、インターネット３４０と移動体オペレータコアネットワーク３５０とに結合されている。
【００４８】
次に図４を参照すると、主題的な明細書の態様にしたがった、ビーコン支援ハンドオーバーを促進するための例示的なシステムの概略が提供されている。示されているように、システム４００は、マクロネットワーク４１０と、ローカルフェムトセルネットワーク４２０と、ワイヤレス端末４３０と、フェムトセルゲートウェイ４４０とを含んでいる。このような実施形態内では、マクロネットワーク４１０は、複数の基地局４１２を含んでおり、ここで、マクロネットワーク４１０は、基地局４１２のうちのいずれかのものを通して、ワイヤレス端末４３０とのアクティブな通信（例えば、音声、データ等）を促進することができる。アクティブな通信の間に、マクロネットワーク４１０は、ワイヤレス端末４３０に制御メッセージを提供し、制御メッセージは、ローカルフェムトセルネットワーク４２０のうちのいずれかのものの内にあるフェムトセル４２４を含む、隣接セルリスト内のセルに対してスキャンするように、ワイヤレス端末４３０に命令する。制御メッセージによりセットされているマクロネットワークセッティングに基づいて、ワイヤレス端末４３０は、その後、それらの信号に関係付けられている特定の属性および／または測定値を示す報告をマクロネットワーク４１０に提供し、フェムトセル４２４のうちの１つからブロードキャストされたビーコンが検出されたか否かを決定するために、マクロネットワーク４１０は後にこの報告を使用する。このような検出を促進するために、ビーコンがセルに類似していることから、マクロネットワーク４１０により送られる制御メッセージには、隣接セルリスト内のビーコンが含まれている。実施形態において、ワイヤレス端末４３０により報告されたプライマリースクランブリングコード（ＰＳＣ）に基づいて、マクロネットワーク４１０は、報告されたセルが実際にビーコンであるか否かを知る。したがって、ここで、ワイヤレス端末４３０が、イベント１ａのような、標準的な測定報告メッセージを通して、セル（例えば、ビーコン）の存在をマクロネットワーク４１０に報告してもよいことに留意すべきである。
【００４９】
示されているように、ローカルフェムトセルネットワーク４２０は、フェムトセルゲートウェイ４４０と通信しており、管理デバイス４２２と複数のフェムトセル４２４とをそれぞれ含んでいる。ある態様において、管理デバイス４２２および／またはフェムトセルゲートウェイ４４０のいずれかが、フェムトセル４２４に識別子を割り当てるように構成されており、フェムトセル４２４はその後、識別子を使用して、それらのそれぞれのビーコンにより、それら自身を識別することを促進することができる。例えば、フェムトセル４２４は、異なるマクロ周波数（ｆ１、ｆ２、．．．、ｆｎ）上でビーコンを送信するように構成されていてもよく、ここで、複数のチャネルのうちのいずれかのものを通して、ビーコンを送信してもよい。少数のＰＳＣもまた、ビーコン送信のために予約されていてもよい。
【００５０】
次に図５を参照すると、主題的な明細書の態様にしたがった、ビーコン支援ハンドオーバーを促進するための例示的な手順が提供されている。以下に続く議論では、図５において示されている例示的な手順を、簡単にまとめている。
【００５１】
フェムトセルの検出に関して、手順は、以下のステップを含む。初めに、マクロ無線ネットワーク制御装置（ＲＮＣ）は、ＵＥに送る測定制御メッセージ（ＭＣＭ）の隣接セルリスト（ＮＣＬ）中にＨＮＢ ＰＳＣ’ｓを含める。その後、ＵＥが、ＮＣＬ中のＨＮＢ上で、周波数内測定値を取り、マクロＲＮＣに対して測定報告メッセージ（ＭＲＭ）を送る。実施形態において、ＨＮＢ ＰＳＣの検出を示すＭＲＭ（例えば、イベント１ａ）を受信したときに、マクロＲＮＣは、即座トリガの周波数間ハンドオーバー（ＩＦＨＯ）、または、圧縮モードのＩＦＨＯのいずれかを用いる。
【００５２】
即座トリガのＩＦＨＯに対しては、初めに、マクロＲＮＣが、受信したＭＲＭのコンテンツを把握する。ある態様において、ＭＲＭが、例えば、ＨＮＢ ＰＳＣに対する、イベント１ａ、イベント１ｃ、または、イベント１ｅを含んでいる場合に、マクロＲＮＣは、ＩＦＨＯをイネーブルする。別の実施形態では、マクロＲＮＣは、ＩＦＨＯをトリガする前に、ＵＥにより報告される特定の数のイベント（例えば、イベント１ａ、イベント１ｃ、および／または、イベント１ｅ）を待ってもよい。
【００５３】
圧縮モードのトリガＩＦＨＯに対しては、受信したＭＲＭのコンテンツを把握することにより、マクロＲＮＣが再び開始する。しかしながら、ここでは、ＭＲＭが、例えば、ＨＮＢ ＰＳＣに対する、イベント１ａ、イベント１ｃ、または、イベント１ｅを含んでいる場合に、マクロＲＮＣは、ＵＥに対して、イベント２Ｃを構成する後続するＭＣＭを送る。ＵＥは、その後、ＨＮＢ動作周波数をスキャンし、マクロＲＮＣに対してＭＲＭを送る。ＨＮＢ周波数が、あるしきい値を上回っている場合に、マクロＲＮＣは、ＩＦＨＯをイネーブルする。
【００５４】
フェムトセルを識別することに関して、図５において示されている例示的な手順は、エレメントごとに説明する以下のステップを含んでいる。
【００５５】
初めに、ホームノードＢ管理システム（ＨＭＳ）により実行されるステップを説明する。ＨＭＳは、ＨＮＢネットワークをアドミニストレート管理している。ある態様において、ＨＮＢが電源投入されたときに、ＨＭＳとＨＮＢとの間で初期化メッセージが交換される。このような実施形態内では、ＨＮＢに割り当てられるかもしれないプライマリースクランブリングコードのセットは、次のように示されることを正しく認識すべきである：
【数１】
0005694461.tif 000002
【００５６】
ここで、Ｋ１は、ＨＮＢに対して割り振られるかもしれないプライマリースクランブリングコードの数を示す。
【００５７】
ビーコンに割り当てられてもよいプライマリースクランブリングコードのセットは、次のように示されることをさらに正しく認識すべきである：
【数２】
0005694461.tif 000003
【００５８】
ここで、Ｋ２は、ビーコンに対して利用可能なプライマリースクランブリングコードの数を示す。
【００５９】
この実施形態に対しては、ＨＮＢは、ＨＳおよびＢＳのセットから、適切なプライマリースクランブリングコードを選択し、これらのプライマリースクランブリングコードをＨＭＳに報告する。ＨＮＢから報告を受信した後で、ＨＭＳは、ＨＮＢに割り当てるための適切なオフセット値（Δ）を探す。オフセットは、０と２５５との間の整数のセットから選ばれる。さらに、オフセットのセットは、次のように定義する：
【数３】
0005694461.tif 000004
【００６０】
次に、プライマリースクランブリングコードとオフセット値とをＨＮＢに割り当てる。特定の実施形態では、ＨＳとＢＳとΔとのデカルト積が取られ、結果として、次のように定義されるＨＮＢ識別子のセットになる。
【数４】
0005694461.tif 000005
【００６１】
ＨＭＳは、その後、ＨＮＢＩＤのセットから、使用されていない対を選択し、それをＨＮＢに割り当てる。ここで、ＨＮＢＩＤのセットの長さは、ＨＳのセットの長さとＢＳのセットの長さとに依存することに留意すべきである。
【００６２】
次に、ＨＮＢにより実行されるステップを説明する。ある態様において、ＨＮＢは、ＨＭＳから一意的な識別子を受信する。一意的な識別子を受信したときに、ＨＮＢは、初期化手順を実行し、ＨＮＢは、ＨＮＢ動作周波数上のそのＳＦＮと、ビーコン上のＳＦＮとを、次のようにセットする：
【数５】
0005694461.tif 000006
【００６３】
ある態様において、このＳＦＮ初期化手順は、すべてのＨＮＢにより実行され、すべてのＨＮＢには、ＳＦＮが割り当てられる。
【００６４】
次に、ＵＥにより実行されるステップを説明する。これらのステップは、レガシーＵＥにより採り入れられてもよい。アクティブな通話中に、ＵＥは、マクロＲＮＣに接続され、Ｃｅｌｌ＿ＤＣＨ状態にある。ＵＥは、ＮＣＬ中に提供されている（周波数内）ビーコンＰＳＣを測定する要求をマクロＲＮＣから受信する。同期化を実行した後で、ＵＥは、ブロードキャスト制御チャネル（ＢＣＣＨ）から、フレーム番号（すなわち、ＳＦＮ）を取得する。マクロＲＮＣに送るＵＥの初期報告中では、ＳＦＮ−ＣＦＮ時間差（Ｃｅｌｌ＿ＤＣＨ）と、ビーコンスクランブリングコードと、ＨＮＢによるビーコン送信の他の測定パラメータとを含むさまざまな属性が報告される。マクロＲＮＣにＭＲＭを送った後に、ＵＥは、イベント２ｃを検出するように構成されている。ＵＥは、その後、圧縮モードの測定を実行し、ＵＥの後続するＭＲＭには、ＨＮＢスクランブリングコードと、ＨＮＢ動作周波数上の他の測定値とが含まれている。
【００６５】
次に、マクロＲＮＣにより実行されるステップを説明する。ある態様において、ＵＥのＭＲＭ（例えば、イベント１ａおよびイベント２ｃ）を取得したときに、マクロＲＮＣは、対応するオフセットおよびスクランブリングコード情報を取り出し、ＲＮＣ間ハードハンドオフ手順を開始する。さらに、図５において示されているように、マクロＲＮＣは、ホームノードＢゲートウェイにＭＲＭを渡す。ＲＮＣ間ハードハンドオフ手順に類似して、ＨＮＢ ＧＷは、その後、２つの報告に基づいて、ＨＮＢＩＤを抽出することができる。一致が見つかった場合に、ハードハンドオフ手順は完了する。
【００６６】
次に図６を参照すると、実施形態にしたがった、ビーコン支援ハンドオーバーを促進する例示的なワイヤレス端末のブロックダイヤグラムが提供されている。示されているように、ワイヤレス端末６００は、プロセッサコンポーネント６１０と、メモリコンポーネント６２０と、受信コンポーネント６３０と、スキャニングコンポーネント６４０と、送信コンポーネント６５０と、解析コンポーネント６６０とを備えていてもよい。
【００６７】
１つの態様では、プロセッサコンポーネント６１０は、複数の機能のうちのいずれかを実行することに関するコンピュータ読取可能命令を実行するように構成されている。プロセッサコンポーネント６１０は、ワイヤレス端末６００から通信される情報の解析に専用の、ならびに／あるいは、メモリコンポーネント６２０や、受信コンポーネント６３０や、スキャニングコンポーネント６４０や、送信コンポーネント６５０や、および／または、解析コンポーネント６６０により利用することができる情報の発生に専用の、単一のプロセッサまたは複数のプロセッサとすることができる。付加的にまたは代替的に、プロセッサコンポーネント６１０は、ワイヤレス端末６００のうちの１つ以上のコンポーネントを制御するように構成されていてもよい。
【００６８】
別の態様では、メモリコンポーネント６２０は、プロセッサコンポーネント６１０に結合されており、プロセッサコンポーネント６１０により実行されるコンピュータ読取可能命令を記憶するように構成されている。メモリコンポーネント６２０はまた、受信コンポーネント６３０や、スキャニングコンポーネント６４０や、送信コンポーネント６５０や、および／または、解析コンポーネント６６０のうちのいずれかにより発生されるデータとともに、ビーコン信号データを収集するためのアルゴリズムを含む、複数の他のタイプのデータのうちの何らかのものを記憶するように構成されていてもよい。ランダムアクセスメモリ、バッテリーバックアップメモリ、ハードディスク、磁気テープ等のようなものを含む、多数の異なる構成でメモリコンポーネント６２０を構成することができる。メモリコンポーネントにおいて、圧縮および自動バックアップのような、さまざまな特徴を実現することもできる（例えば、独立したドライブ構成の冗長アレイの使用）。
【００６９】
さらに別の態様では、受信コンポーネント６３０と送信コンポーネント６５０もまた、プロセッサコンポーネント６１０に結合されており、ワイヤレス端末６００を外部エンティティにインターフェースするように構成されている。例えば、受信コンポーネント６３０は、マクロネットワークにより促進されるアクティブな通信の間に、（例えば、基地局、無線ネットワーク制御装置等を通して、）制御メッセージを受信するように構成されているのに対し、送信コンポーネント６５０は、ビーコンを検出したか否かの決定を促進する報告をマクロネットワークに対して送信するように構成されていてもよい。
【００７０】
示されているように、ワイヤレス端末６００は、スキャニングコンポーネント６４０も備えている。このような実施形態内では、スキャニングコンポーネント６４０は、制御メッセージ中で識別された、フェムトセルにより送信されるビーコンに関係付けられている周波数をスキャンするように構成されている。この目的のために、特定のフェムトセルが、第２の周波数上で動作しながら、第１の周波数においてビーコンをブロードキャストしてもよく、第１の周波数は、第２の周波数と異なるものであることに留意すべきである。（例えば、ワイヤレス端末６００は、いくつかの“候補の”ハンドオーバーフェムトセルを持つエリアに入った場合に、）フェムトセルが複数の異なるビーコンを集合的にブロードキャストしている複数のフェムトセルに対してスキャンするように、制御メッセージがワイヤレス端末６００に命令してもよいことに、さらに留意すべきである。したがって、ある態様において、スキャニングコンポーネント６４０は、制御メッセージ中で識別された複数の周波数のうちの何らかのものをスキャンするように構成されていてもよく、個々にかまたは同時にかのいずれかで、周波数をスキャンする。
【００７１】
何らかの実施形態に対しては、ワイヤレス端末６００は、さらに、解析コンポーネント６６０を備えており、解析コンポーネント６６０は、検出した信号に関係付けられている属性を把握するように構成されている。ある態様において、このような属性は、解析コンポーネント６６０により検出、測定、および／または、処理されてもよく、その後、送信コンポーネント６５０を通して送信される報告中に含めてもよい。ここでは、このような属性が、ブロードキャストされたフェムトセルのビーコン（すなわち、ビーコンの周波数をスキャンすることから把握した属性）に対応していてもよいことや、および／または、フェムトセル動作（すなわち、フェムトセルの動作周波数をスキャンすることから把握した属性）に対応していてもよいことに留意すべきである。例えば、ビーコン属性に関して、解析コンポーネント６６０は、フレーム番号を、スクランブリングコードを、および／または、ビーコンに関係する他の何らかの測定値を、把握するように構成されていてもよい。同様に、フェムトセル属性に関して、解析コンポーネント６６０は、フレーム番号を、スクランブリングコードを、および／または、フェムトセルの動作に関係する他の何らかの測定値を、把握するように構成されていてもよい。
【００７２】
図７を見ると、示されているのは、実施形態にしたがった、ビーコン支援ハンドオーバーを促進するシステム７００である。システム７００は、例えば、ワイヤレス端末内に存在させることができる。表されているように、システム７００は、プロセッサにより、ソフトウェアにより、または、これらの組み合わせ（例えば、ファームウェア）により実現される機能を表すことができる機能ブロックを備えている。システム７００は、共に働くことができる電気的コンポーネントの論理グループ７０２を備えている。示されているように、論理グループ７０２は、マクロネットワークにより促進される、基地局とのアクティブな通信の間に、制御メッセージを受信する電気的コンポーネント７１０を備えることがある。さらに、論理グループ７０２は、フェムトセルにより送信されたビーコンに関係付けられている周波数をスキャニングする電気的コンポーネント７１２を備えることがある。論理グループ７０２はまた、ビーコンに関係付けられている属性を含む報告を基地局に送信する電気的コンポーネント７１４を備えることがある。さらに、システム７００は、電気的コンポーネント７１０と、電気的コンポーネント７１２と、電気的コンポーネント７１４とに関係付けられている機能を実行するための命令を保持するメモリ７２０を備えることがある。メモリ７２０の外部にあるものとして示されているが、電気的コンポーネント７１０と、電気的コンポーネント７１２と、電気的コンポーネント７１４は、メモリ７２０内に存在させることができることを理解すべきである。
【００７３】
次に図８を参照すると、ワイヤレス端末からのビーコン支援ハンドオーバーを促進するための例示的な方法を示すフローチャートが提供されている。示されているように、プロセス８００は、主題的な明細書の態様にしたがった、ワイヤレス端末により実行してもよい一連のアクトを含んでいる。例えば、プロセッサを用いて、コンピュータ読取可能記憶媒体上に記憶されているコンピュータ実行可能な命令を実行して、一連のアクトを実現することにより、プロセス８００を実現してもよい。別の実施形態では、少なくとも１つのコンピュータに、プロセス８００のアクトを実現させるためのコードを含むコンピュータ読取可能記憶媒体が企図されている。
【００７４】
ある態様において、プロセス８００は、アクト８０５において、ワイヤレス端末が、マクロネットワークから制御メッセージを受信することによって開始し、ここで、マクロネットワークにより促進されるアクティブな通信の間に、制御メッセージを受信する。このような制御メッセージ内では、複数の機能のうちの何らかのものを実行するように、マクロネットワークがワイヤレス端末に命令してもよい。この実施形態に対しては、ビーコン信号の存在に対して特定の周波数をスキャンするように、制御メッセージがワイヤレス端末に命令する。ここでは、ビーコンに対応する周波数をスキャンするように、制御メッセージがワイヤレス端末に命令するが、ビーコンをスキャンしているか否かをワイヤレス端末が知る必要はないことを正しく認識すべきである。すなわち、ワイヤレス端末の観点からすると、ビーコンは、他のセルに実質的に類似しているので、ワイヤレス端末は、制御メッセージセッティングに基づいて、他の何らかのセルと同様に、マクロネットワークに対してビーコンを報告するだろう。マクロネットワークは、その後、それが、例えば、報告中に含まれている特定のＰＳＣに基づいて、フェムトセルビーコンであることを知るだろう。
【００７５】
したがって、プロセス８００は、アクト８１０において進み、マクロネットワークにより識別された特定のフェムトセルによりブロードキャストされたビーコンに対応する周波数を、ワイヤレス端末がスキャンする。ワイヤレス端末は、その後、アクト８１５において、ビーコンイベントに対応する信号が検出されたか否かを決定する。ビーコンイベントに対応する信号が実際に検出された場合には、ワイヤレス端末は、アクト８２０において、マクロネットワークにイベントを報告する。そうではなく、ビーコンイベントが何ら検出されなかった場合には、プロセス８００は、アクト８１０にループバックし、ワイヤレス端末がビーコンをスキャンし続ける。
【００７６】
いくつかの実施形態に対しては、マクロネットワークは、ハンドオーバーを実行する前に、圧縮モードセンシングを実行するようにワイヤレス端末に命令してもよい。したがって、アクト８２５において、圧縮モードセンシングを実行するか否かに関する決定がなされる。圧縮モードセンシングが必要とされない場合には、プロセス８００は、アクト８３０において終了し、検出されたビーコンをブロードキャストしたフェムトセルへと、アクティブな通信をハンドオーバーする。
【００７７】
しかしながら、圧縮モードセンシングがアクト８２５において実際に必要とされる場合には、プロセス８００は、アクト８３５に進み、フェムトセルの動作周波数をスキャンするようにワイヤレス端末に命令する。ワイヤレス端末は、その後、アクト８４０において、特定のフェムトセルイベントが検出されたか否かを決定する。フェムトセルイベントが何ら検出されなかった場合には、プロセス８００は、アクト８３５にループバックし、ワイヤレス端末がフェムトセルの動作周波数をスキャンし続ける。そうではなく、フェムトセルイベントが実際に検出された場合には、ワイヤレス端末は、アクト８４５において、マクロネットワークにイベントを報告し、このことは、アクト８３０における後続するハンドオーバー実行を促進する。
【００７８】
次に図９を参照すると、ブロックダイヤグラムは、さまざまな態様にしたがった、例示的なフェムトセルシステムを示している。示しているように、フェムトセルシステム９００は、プロセッサコンポーネント９１０と、メモリコンポーネント９２０と、受信コンポーネント９３０と、動作コンポーネント９４０と、送信コンポーネント９５０と、タイミングコンポーネント９６０と、スクランブリングコードコンポーネント９７０と、軽減コンポーネント９８０と、回復コンポーネント９９０とを備えていてもよい。
【００７９】
ワイヤレス端末６００中のプロセッサコンポーネント６１０と同様に、プロセッサコンポーネント９１０は、複数の機能のうちのいずれかを実行することに関するコンピュータ読取可能命令を実行するように構成されている。プロセッサコンポーネント９１０は、フェムトセルシステム９００から通信される情報の解析に専用の、ならびに／あるいは、メモリコンポーネント９２０や、受信コンポーネント９３０や、動作コンポーネント９４０や、送信コンポーネント９５０や、タイミングコンポーネント９６０や、スクランブリングコードコンポーネント９７０や、軽減コンポーネント９８０や、および／または、回復コンポーネント９９０により利用することができる情報の発生に専用の、単一のプロセッサまたは複数のプロセッサとすることができる。付加的にまたは代替的に、プロセッサコンポーネント９１０は、フェムトセルシステム９００のうちの１つ以上のコンポーネントを制御するように構成されていてもよい。
【００８０】
別の態様では、メモリコンポーネント９２０は、プロセッサコンポーネント９１０に結合されており、プロセッサコンポーネント９１０により実行されるコンピュータ読取可能命令を記憶するように構成されている。メモリコンポーネント９２０はまた、受信コンポーネント９３０や、動作コンポーネント９４０や、送信コンポーネント９５０や、タイミングコンポーネント９６０や、スクランブリングコードコンポーネント９７０や、軽減コンポーネント９８０や、および／または、回復コンポーネント９９０のうちのいずれかにより発生されるデータを含む、複数の他のタイプのデータのうちの何らかのものを記憶するように構成されていてもよい。ここでは、メモリコンポーネント９２０は、ワイヤレス端末６００中のメモリコンポーネント６２０に類似していることに留意すべきである。したがって、メモリコンポーネント６２０の前述の特徴／構成のうちの何らかのものもまた、メモリコンポーネント９２０に適用可能であることを正しく認識すべきである。
【００８１】
さらに別の態様では、受信コンポーネント９３０と送信コンポーネント９５０もまた、プロセッサコンポーネント９１０に結合されており、フェムトセルシステム９００を外部エンティティにインターフェースするように構成されている。例えば、受信コンポーネント９３０は、フェムトセルシステム９００に関係付けられている一意的な識別子を含む初期化メッセージを受信するように構成されていてもよいのに対し、送信コンポーネント９５０は、一意的な識別子にしたがって、少なくとも１つのビーコン信号をブロードキャストするように構成されていてもよい（ここで、フェムトセルシステム９００の動作周波数とは異なる周波数において、少なくとも１つのビーコン信号をブロードキャストする。）
示されているように、フェムトセルシステム９００は、さらに、動作コンポーネント９４０を備えている。このような実施形態内では、動作コンポーネント９４０は、特定の動作周波数においてフェムトセルシステム９００を動作させるように構成されている。ある態様において、動作コンポーネント９４０は、初期化メッセージ中に含まれている一意的な識別子の関数として、フェムトセルシステム９００を動作させるように構成されている。
【００８２】
いくつかの実施形態に対しては、フェムトセルシステム９００はまた、一意的な識別子からタイミングオフセット値を把握するように構成されているタイミングコンポーネント９６０を備えている。ある態様において、フェムトセルシステム９００は、近くのワイヤレス端末により検出可能な属性として、タイミングオフセットを実現するように構成されている。例えば、フェムトセルシステム９００は、タイミングオフセットに基づいて、フェムトセルを動作させるように、および／または、フェムトセルからビーコンをブロードキャストするように、構成されていてもよい。その後、ワイヤレス端末は、このタイミングオフセットを検出して、マクロネットワークに報告してもよく、マクロネットワークは、フェムトセルシステム９００を識別する助けとするために、タイミングオフセットを使用する。
【００８３】
別の態様では、示されているように、フェムトセルシステム９００は、スクランブリングコードコンポーネント９７０を備えている。このような実施形態内では、スクランブリングコードコンポーネント９７０は、一意的な識別子からスクランブリングコードを把握するように構成されている。第１の態様では、スクランブリングコードコンポーネント９７０により把握したスクランブリングコードは、フェムトセルそれ自体に関係付けられ、ここで、（例えば、フェムトセルの動作周波数上で、スクランブリングコードを検出可能にすることにより、）フェムトセル特有のスクランブリングコードにしたがってフェムトセルを動作させる。しかしながら、第２の態様では、スクランブリングコードコンポーネント９７０により把握したスクランブリングコードは、特定のビーコンに関係付けられ、ここで、（例えば、ビーコンの周波数上で、スクランブリングコードを検出可能にすることにより、）フェムトセルは、このビーコン特有のスクランブリングコードにしたがって、ビーコンをブロードキャストする。
【００８４】
さらに別の態様では、ビーコンをブロードキャストすることは、偶然にワイヤレス端末に対する干渉を生じさせることがあるので、フェムトセルシステム９００はまた、軽減コンポーネント９８０と、回復コンポーネント９９０とを備えていてもよい。すなわち、軽減コンポーネント９８０は、ワイヤレス端末を検出するように構成されていてもよく、ここで、潜在的に干渉するビーコン信号を制御することにより、ワイヤレス端末との潜在的な干渉を軽減させる。例えば、軽減コンポーネント９８０は、ビーコン信号を中断することにより、ビーコン信号のブロードキャスト電力を減少させることにより、および／または、ビーコン信号の周期を変化させることにより、潜在的な干渉を軽減させるように構成されていてもよい。そして、回復コンポーネント９９０は、そうすることが安全であるときに、ビーコン信号を回復するように構成されていてもよい。
【００８５】
次に図１０を参照すると、示されているのは、実施形態にしたがった、ビーコン支援ハンドオーバーを促進するシステム１０００である。システム１０００および／またはシステム１０００を実現するための命令は、フェムトセル内に、あるいは、例えば、コンピュータ読取可能記憶媒体内に、物理的に存在させることができる。ここで、システム１０００は、プロセッサにより、ソフトウェアにより、または、これらの組み合わせ（例えば、ファームウェア）により実現される機能を表すことができる機能ブロックを備えている。さらに、システム１０００は、システム７００中の論理グルーピング７０２と同様に、共に働くことができる電気的コンポーネントの論理グルーピング１００２を備えている。示されているように、論理グルーピング１００２は、フェムトセルに関係付けられている一意的な識別子を含む初期化メッセージを受信する電気的コンポーネント１０１０を備えることがある。さらに、論理グルーピング１００２は、一意的な識別子の関数として、第１の周波数においてフェムトセルを動作させる電気的コンポーネント１０１２を備えることがある。論理グルーピング１００２はまた、一意的な識別子にしたがって、第１の周波数とは異なる第２の周波数において、少なくとも１つのビーコン信号をブロードキャストする電気的コンポーネント１０１４を備えることがある。さらに、システム１０００は、電気的コンポーネント１０１０と、電気的コンポーネント１０１２と、電気的コンポーネント１０１４とに関係付けられている機能を実行するための命令を保持するメモリ１０２０を備えることがある。メモリ１０２０の外部にあるものとして示されているが、電気的コンポーネント１０１０と、電気的コンポーネント１０１２と、電気的コンポーネント１０１４は、メモリ１０２０内に存在させることができることを理解すべきである。
【００８６】
次に図１１を参照すると、フェムトセルからのビーコン支援ハンドオーバーを促進するための例示的な方法を示すフローチャートが提供されている。示されているように、プロセス１１００は、主題的な明細書の態様にしたがった、フェムトセルシステムにより実行してもよい一連のアクトを含んでいる。例えば、プロセッサを用いて、コンピュータ読取可能記憶媒体上に記憶されているコンピュータ実行可能な命令を実行して、一連のアクトを実現することにより、プロセス１１００を実現してもよい。別の実施形態では、少なくとも１つのコンピュータに、プロセス１１００のアクトを実現させるためのコードを含むコンピュータ読取可能記憶媒体が企図されている。
【００８７】
ある態様において、プロセス１１００は、フェムトセルにより選択した特定のスクランブリングコードを、アクト１１０５において、フェムトセル管理システムに報告することにより開始する。この特定の実施形態に対しては、フェムトセルは、一連の利用可能なフェムトセルスクランブリングコードから、適切なフェムトセルスクランブリングコードを選択するとともに、一連の利用可能なビーコンスクランブリングコードから、適切なビーコンスクランブリングコードを選択する。
【００８８】
フェムトセルは、その後、アクト１１１０において、フェムトセル管理システムから、一意的な識別子を受け取る。ある態様において、フェムトセルは、一意的な識別子から、フェムトセルに割り当てられている特定のタイミングオフセットおよび／またはフェムトセルに割り当てられている特定のスクランブリングコードを含む、初期化パラメータを把握してもよい。例えば、アクト１１１５において、フェムトセルは、タイミングオフセットにしたがって、ビーコン周波数と、動作周波数とを同期化してもよい。アクト１１２０において、フェムトセルは、その後、割り当てられたスクランブリングコードをそれぞれ実現することより（例えば、割り当てられたビーコンスクランブリングコードを実現するために、ブロードキャストされたビーコンを初期化することにより、および、割り当てられたフェムトセルスクランブルコードを実現するために、フェムトセルの動作を初期化することにより）、ビーコンおよびフェムトセルのパラメータを初期化してもよい。その後、プロセス１１００は進み、ステップ１１２５において、フェムトセルがビーコンをブロードキャストする。
【００８９】
ここで説明する態様は、マクロ周波数中での（または、一般的には、フェムトセルが動作していない周波数での）ビーコンのブロードキャストを要求しているので、フェムトセルからビーコンをブロードキャストすることが、ワイヤレス端末における干渉を生じさせるかもしれないことに留意すべきである。すなわち、このようなビーコンの存在は、特に、セル端シチュエーションにおいて、ビーコンがワイヤレス端末と干渉する場合に、および、フェムトセルへのアクセスが拒否された場合に、停止を生成させることがある。
【００９０】
干渉の悪影響を軽減させるために、プロセス１１００は、アクト１１３０において、近くのワイヤレス端末の存在を初めに把握する。ここでは、複数の技法を使用して、近くのワイヤレス端末の存在を検出することができることを正しく認識すべきである。ワイヤレス端末が何ら検出されなかった場合には、プロセス１１００は、アクト１１２５にループバックし、ビーコン信号をブロードキャストし続ける。そうではなく、ワイヤレス端末が実際に検出された場合には、検出されたワイヤレス端末との潜在的な干渉を避けるために、アクト１１３５において軽減技法を実行する。
【００９１】
複数の軽減技法のうちの何らかのものを実現してもよいことに留意すべきである。第１の例示的な軽減技法では、フェムトセルへのアクセスがワイヤレス端末に明示的に許可されていない場合でさえ、フェムトセルへのハンドオーバーが処理される。このような実施形態内では、フェムトセルは、さらに何らかの干渉軽減技法を採用してもよく、または、採用しなくてもよい。
【００９２】
第２の例示的な態様では、許可されていないワイヤレス端末に対するハンドイン試行を検出したときに、フェムトセルは、ワイヤレス端末の動作周波数上でのそれ自体からの干渉を軽減させる。例えば、フェムトセルは、ワイヤレス端末の動作周波数を通して、ビーコンをブロードキャストすることを止めてもよい。フェムトセルはまた、干渉管理目的に対して十分であると考えられる場合には、ビーコンのブロードキャスト電力を減少させてもよい。さらに、フェムトセルは、一定の電力でまたは変化する電力で、（頻度の低い）周期においてまたは周期的な間隔において、ビーコンを送信してもよい。
【００９３】
異なるフェムトセル間で、および／または、異なるハンドオーバー試行間で、軽減技法を変更してもよいことを正しく認識すべきである。前述の第１の例示的な軽減技法の場合には（すなわち、フェムトセルへのアクセスがワイヤレス端末に明示的に許可されていない場合でさえ、フェムトセルへのハンドオーバーが処理される場合には）、フェムトセルは、可能な限り早く、許可されていないワイヤレス端末をハンドアウトするという追加のステップを取ってもよい。例えば、ビーコンがブロードキャストされている周波数上で動作しているノードに対してワイヤレス端末をハンドアウトする場合には、ビーコンからの干渉を軽減させた後で、ハンドアウトの決定を実行してもよい。
【００９４】
しかしながら、いくつかの実施形態に対しては、許可されていないワイヤレス端末に対する干渉を軽減させるためのアクションを、単に、何も実行しないことが望ましいかもしれない。（例えば、非常に良好なマクロカバレッジのために、または、存在しないマクロカバレッジのために、）そうでなければ、ワイヤレス端末が経験しないだろう停止を、フェムトセルビーコンそれ自体が生じさせないと決定された場合に、この決定に達することができる。
【００９５】
別の態様では、マクロ周波数上のビーコンを回復するための技法が企図され、ここで、ビーコンのブロードキャストは、干渉を軽減させるために、変更されていた／止められていたものである。例えば、第１の例示的な技法では、（ピークのおよび／または平均的な）ビーコン電力をゆっくりと増加させることができるだろう。ゆっくりとした増加が、許可されていないワイヤレス端末と干渉するとわかった場合には、このような増加を、止めるおよび／または反転させることができる。
【００９６】
第２の例示的な回復技法では、例えば、ワイヤレス端末がビーコンカバレッジを抜け出た後に、すぐにまたは徐々に、ビーコンを回復させる。例えば、このことは、そのカバレッジがビーコンカバレッジとオーバーラップしないセルに対してワイヤレス端末をハンドアウトした場合に、生じることがある。この方法は、このようなイベントの発生をフェムトセルに知らせるために、マクロネットワークからおよび／またはフェムトセルゲートウェイから、フェムトセルに対してシグナリングすることにより利益を得るだろう。
【００９７】
第３の例示的な回復技法では、ワイヤレス端末の潜在的なハンドインに対して、複数のフェムトセルが準備されている場合に、および／または、ワイヤレス端末の潜在的なハンドインが複数のフェムトセルに通知されている場合に、ビーコンを回復させ、ここで、（例えば、ハンドオフにより、アップリンクセンシングにより、あるいは、他の何らかの種類の無線を通しての通知により、または、他の何らかの種類のバックホールを通しての通知により、）後の何らかの時点で、実際のターゲットフェムトセルのみが識別される。実際のターゲットフェムトセルが識別された後に、ターゲットでない（が、以前の潜在的なターゲットだった）フェムトセルに通知することができ、これにより、それにしたがって、ターゲットでないフェムトセルが、自身のビーコンを回復させることが可能になる。
【００９８】
したがって、図１１に戻って参照すると、プロセス１１００は、回復技法にしたがって（例えば、前述の回復技法のうちのいずれかにより）、ビーコンを回復させることによって終了する。特に、アクト１１４０において、ビーコン信号を回復させるか否かの決定がなされる。回復が望まれていない場合には、および／または、回復が適切でない場合には、プロセス１１００は、アクト１１３５にループバックし、干渉軽減技法を実現し続ける。そうではなく、回復が実際に望まれている場合には、および／または、回復が適切である場合には、プロセス１１００は、アクト１１２５にループバックし、回復させたバージョンのビーコンをブロードキャストする。
【００９９】
次に図１２を参照すると、ブロックダイヤグラムは、さまざまな態様にしたがった、例示的なフェムトセル管理システムを示しており、フェムトセル管理システムは、図４において示されている、管理デバイス４２２および／またはフェムトセルゲートウェイ４４０のいずれかの中に存在していてもよい。示されているように、フェムトセル管理システム１２００は、プロセッサコンポーネント１２１０と、メモリコンポーネント１２２０と、受信コンポーネント１２３０と、割り当てコンポーネント１２４０と、送信コンポーネント１２５０とを備えていてもよい。
【０１００】
ワイヤレス端末６００中のプロセッサコンポーネント６１０と、フェムトセルシステム９００中のプロセッサコンポーネント９１０とそれぞれ同様に、プロセッサコンポーネント１２１０は、複数の機能のうちのいずれかを実行することに関するコンピュータ読取可能命令を実行するように構成されている。プロセッサコンポーネント１２１０は、フェムトセル管理システム１２００から通信される情報の解析に専用の、ならびに／あるいは、メモリコンポーネント１２２０や、受信コンポーネント１２３０や、割り当てコンポーネント１２４０や、および／または、送信コンポーネント１２５０により利用することができる情報の発生に専用の、単一のプロセッサまたは複数のプロセッサとすることができる。付加的にまたは代替的に、プロセッサコンポーネント１２１０は、フェムトセル管理システム１２００のうちの１つ以上のコンポーネントを制御するように構成されていてもよい。
【０１０１】
別の態様では、メモリコンポーネント１２２０は、プロセッサコンポーネント１２１０に結合されており、プロセッサコンポーネント１２１０により実行されるコンピュータ読取可能命令を記憶するように構成されている。メモリコンポーネント１２２０はまた、受信コンポーネント１２３０や、割り当てコンポーネント１２４０や、および／または、送信コンポーネント１２５０のうちのいずれかにより発生されるデータを含む、複数の他のタイプのデータのうちの何らかのものを記憶するように構成されていてもよい。ここでは、メモリコンポーネント１２２０は、ワイヤレス端末６００中のメモリコンポーネント６２０と、フェムトセルシステム９００中のメモリコンポーネント９２０とに類似していることに留意すべきである。したがって、メモリコンポーネント６２０および／またはメモリコンポーネント９２０の前述の特徴／構成のうちの何らかのものもまた、メモリコンポーネント１２２０に適用可能であることを正しく認識すべきである。
【０１０２】
さらに別の態様では、受信コンポーネント１２３０と送信コンポーネント１２５０もまた、プロセッサコンポーネント１２１０に結合されており、フェムトセル管理システム１２００を外部エンティティにインターフェースするように構成されている。例えば、受信コンポーネント１２３０は、フェムトセルから通信を受信するように構成されていてもよい（ここで、通信は、フェムトセルにより選択されたスクランブリングコードを識別することができる）のに対し、送信コンポーネント１２５０は、一意的な識別子をフェムトセルに送信するように構成されていてもよい。
【０１０３】
示されているように、フェムトセル管理システム１２００は、さらに、割り当てコンポーネント１２４０を備えていてもよい。このような実施形態内では、割り当てコンポーネント１２４０は、（例えば、フェムトセルにより選択されたスクランブリングコードに基づいて）、通信の関数として、一意的な識別子をフェムトセルに割り当てるように構成されている。ここで、一意的な識別子は、フェムトセルからビーコン信号をブロードキャストすることに関係付けられている初期化パラメータを識別する。ある態様において、割り当てコンポーネント１２４０は、フェムトセルにおよび／またはビーコンに関係付けられている一意的な識別子を割り当てるように構成されていてもよいことに留意すべきである。例えば、第１の態様では、割り当てコンポーネント１２４０は、ビーコン信号に関係付けられているスクランブリングコードを、および／または、ビーコン信号に関係付けられているタイミングオフセットを、把握するように構成されている。ここで、一意的な識別子は、ビーコン特有のスクランブリングコードまたはビーコン特有のタイミングオフセットのうちの少なくとも１つを識別する。しかしながら、別の態様では、割り当てコンポーネント１２４０は、フェムトセルの動作周波数に関係付けられているスクランブリングコードを、および／または、フェムトセルの動作周波数に関係付けられているタイミングオフセットを、把握するように構成されている。ここで、一意的な識別子は、フェムトセル特有のスクランブリングコードまたはフェムトセル特有のタイミングオフセットのうちの少なくとも１つを識別する。
【０１０４】
次に図１３を参照すると、示されているのは、実施形態にしたがった、ビーコン支援ハンドオーバーを管理するシステム１３００である。システム１３００および／またはシステム１３００を実現するための命令は、フェムトセル管理システム内（例えば、図４において示されている、管理デバイス４２２および／またはフェムトセルゲートウェイ４４０のいずれかの内）に、あるいは、コンピュータ読取可能記憶媒体内に、物理的に存在させることができ、例えば、ここで、システム１３００は、プロセッサにより、ソフトウェアにより、または、これらの組み合わせ（例えば、ファームウェア）により実現される機能を表すことができる機能ブロックを備えている。さらに、システム１３００は、システム７００中の論理グルーピング７０２と、システム１０００中の論理グルーピング１００２とそれぞれ同様に、共に働くことができる電気的コンポーネントの論理グルーピング１３０２を備えている。示されているように、論理グルーピング１３０２は、フェムトセルから通信を受信する電気的コンポーネント１３１０を備えることがある。さらに、論理グルーピング１３０２は、フェムトセルからビーコン信号をブロードキャストするための初期化パラメータを識別する一意的な識別子をフェムトセルに割り当てる電気的コンポーネント１３１２を備えることがある。論理グルーピング１３０２はまた、フェムトセルに一意的な識別子を送信する電気的コンポーネント１３１４を備えることがある。さらに、システム１３００は、電気的コンポーネント１３１０と、電気的コンポーネント１３１２と、電気的コンポーネント１３１４とに関係付けられている機能を実行するための命令を保持するメモリ１３２０を備えることがある。メモリ１３２０の外部にあるものとして示されているが、電気的コンポーネント１３１０と、電気的コンポーネント１３１２と、電気的コンポーネント１３１４は、メモリ１３２０内に存在させることができることを理解すべきである。
【０１０５】
次に図１４を参照すると、ビーコン支援ハンドオーバーを管理するための例示的な方法を示すフローチャートが提供されている。示されているように、プロセス１４００は、主題的な明細書の態様にしたがった、フェムトセル管理（例えば、図４において示されている、管理デバイス４２２および／またはフェムトセルゲートウェイ４４０のいずれかの内にある）システムにより実行してもよい一連のアクトを含んでいる。例えば、プロセッサを用いて、コンピュータ読取可能記憶媒体上に記憶されているコンピュータ実行可能な命令を実行して、一連のアクトを実現することにより、プロセス１４００を実現してもよい。別の実施形態では、少なくとも１つのコンピュータに、プロセス１４００のアクトを実現させるためのコードを含むコンピュータ読取可能記憶媒体が企図されている。
【０１０６】
ある態様において、プロセス１４００は、アクト１４０５において開始し、フェムトセルにより選択されたスクランブリングコードのセットを識別する報告をフェムトセル管理システムが受信する。この特定の実施形態に対しては、報告は、フェムトセルスクランブリングコードと、ビーコンスクランブリングコードとの双方を識別する。これらのスクランブリングコードを受信したときに、フェムトセル管理システムは、その後、アクト１４１０において、フェムトセルに対する適切なオフセット値を把握する。
【０１０７】
次に、プロセス１４００は、アクト１４１５において続き、候補の識別子のリストを発生させる。以前に述べたように、主題的な明細書は、一意的な識別属性を割り当てることによりフェムトセルを識別する、新規な技法を開示している。ある態様において、これらの属性は、フェムトセルに割り当てられている１セットの拡散シーケンスと、ビーコンに割り当てられている１セットの拡散シーケンスと、１セットのＳＦＮオフセットとのクロス乗積から取られたタプルである。したがって、この特定の実施形態に対しては、アクト１４１５において発生させた候補の識別子のリストは、アクト１４１０において把握したオフセット値と、フェムトセルにより選択されたスクランブリングコードとに基づいているタプルのリストを含んでいてもよい。
【０１０８】
フェムトセル管理システムは、その後、ステップ１４２０において、使用されていない識別子をフェムトセルに割り当てる。実施形態において、フェムトセル管理システムは、フェムトセルを容易に識別するタプルをフェムトセルに対して割り当て、ここで、タプルは、ビーコンスクランブリングコードと、フェムトセルスクランブリングコードと、オフセット値との一意的な組み合わせである。しかしながら、別の実施形態では、識別子は、ビーコンスクランブリングコードと、フェムトセルスクランブリングコードと、オフセット値とのうちの２つのみの一意的な組み合わせ（例えば、ビーコンＰＳＣおよびフェムトセルＰＳＣ；ビーコンＰＳＣおよびオフセット値；または、フェムトセルＰＳＣおよびオフセット値）を含んでもよいことを正しく認識すべきである。その後、プロセス１４００は、ステップ１４２５において終了し、フェムトセルとマクロネットワークとに対して一意的な識別子を送信する。
【０１０９】
次に図１５を参照すると、ブロックダイヤグラムは、さまざまな態様にしたがった、例示的なマクロネットワークデバイスを示している。示しているように、マクロネットワークデバイス１５００は、プロセッサコンポーネント１５１０と、メモリコンポーネント１５２０と、メッセージ発生コンポーネント１５３０と、送信コンポーネント１５４０と、受信コンポーネント１５５０と、検出コンポーネント１５６０と、識別コンポーネント１５７０とを備えていてもよい。
【０１１０】
ワイヤレス端末６００中のプロセッサコンポーネント６１０と、フェムトセルシステム９００中のプロセッサコンポーネント９１０と、フェムトセル管理システム１２００中のプロセッサコンポーネント１２１０とそれぞれ同様に、プロセッサコンポーネント１５１０は、複数の機能のうちのいずれかを実行することに関するコンピュータ読取可能命令を実行するように構成されている。プロセッサコンポーネント１５１０は、マクロネットワークデバイス１５００から通信される情報の解析に専用の、ならびに／あるいは、メモリコンポーネント１５２０や、メッセージ発生コンポーネント１５３０や、送信コンポーネント１５４０や、受信コンポーネント１５５０や、検出コンポーネント１５６０や、および／または、識別コンポーネント１５７０により利用することができる情報の発生に専用の、単一のプロセッサまたは複数のプロセッサとすることができる。付加的にまたは代替的に、プロセッサコンポーネント１５１０は、マクロネットワークデバイス１５００のうちの１つ以上のコンポーネントを制御するように構成されていてもよい。
【０１１１】
別の態様では、メモリコンポーネント１５２０は、プロセッサコンポーネント１５１０に結合されており、プロセッサコンポーネント１５１０により実行されるコンピュータ読取可能命令を記憶するように構成されている。メモリコンポーネント１５２０はまた、メッセージ発生コンポーネント１５３０や、送信コンポーネント１５４０や、受信コンポーネント１５５０や、検出コンポーネント１５６０や、および／または、識別コンポーネント１５７０のうちのいずれかにより発生されるデータを含む、複数の他のタイプのデータのうちの何らかのものを記憶するように構成されていてもよい。ここでは、メモリコンポーネント１５２０は、ワイヤレス端末６００中のメモリコンポーネント６２０と、フェムトセルシステム９００中のメモリコンポーネント９２０と、フェムトセル管理システム１２００中のメモリコンポーネント１２２０とにそれぞれ類似していることに留意すべきである。したがって、メモリコンポーネント６２０や、メモリコンポーネント９２０や、および／または、メモリコンポーネント１２２０の前述の特徴／構成のうちの何らかのものもまた、メモリコンポーネント１５２０に適用可能であることを正しく認識すべきである。
【０１１２】
示されているように、マクロネットワークデバイス１５００は、さらに、メッセージ発生コンポーネント１５３０を備えていてもよい。このような実施形態内では、メッセージ発生コンポーネント１５３０は、制御メッセージを発生させるように構成されており、制御メッセージは、フェムトセルにより送信されたビーコンに関係付けられている周波数をスキャンするようにワイヤレス端末に命令する。別の実施形態では、メッセージ発生コンポーネント１５３０は、さらに、フェムトセルの動作周波数をスキャンするようにワイヤレス端末に命令する後続するメッセージを発生させるように構成されている（ここで、ビーコンに関係付けられている周波数と、動作周波数とは異なる）。
【０１１３】
さらに別の態様では、送信コンポーネント１５４０と受信コンポーネント１５５０もまた、プロセッサコンポーネント１５１０に結合されており、マクロネットワークデバイス１５００を外部エンティティにインターフェースするように構成されている。例えば、送信コンポーネント１５４０は、ワイヤレス端末に制御メッセージを送信するように構成されていてもよいのに対し、受信コンポーネント１５５０は、ビーコン属性（例えば、フレーム番号、スクランブリングコード、および／または、ビーコンに関係付けられている他の何らかの測定値）を、ならびに／あるいは、フェムトセル属性（例えば、フレーム番号、スクランブリングコード、および／または、フェムトセルの動作に関係付けられている他の何らかの測定値）を、含む報告を、ワイヤレス端末から受信するように構成されていてもよい。
【０１１４】
マクロネットワークデバイス１５００はまた、検出コンポーネント１５６０と識別コンポーネント１５７０を備えていてもよい。このような実施形態内では、検出コンポーネント１５６０は、ビーコン属性および／またはフェムトセル属性に基づいて、フェムトセルの検出を把握するように構成されている。同様に、識別コンポーネント１５７０は、ビーコン属性および／またはフェムトセル属性に基づいて、フェムトセルの識別を把握するように構成されており、ここで、識別により、フェムトセルへのハンドオーバーを促進する。
【０１１５】
次に図１６を参照すると、示されているのは、実施形態にしたがった、ビーコン支援ハンドオーバーを促進するシステム１６００である。システム１６００および／またはシステム１６００を実現するための命令は、例えば、マクロネットワークデバイス（例えば、基地局、無線ネットワーク制御装置等）の内に、または、コンピュータ読取可能記憶媒体内に、物理的に存在させることができ、システム１６００は、プロセッサにより、ソフトウェアにより、または、これらの組み合わせ（例えば、ファームウェア）により実現される機能を表すことができる機能ブロックを備えている。さらに、システム１６００は、システム７００中の論理グルーピング７０２と、システム１０００中の論理グルーピング１００２と、システム１３００中の論理グルーピング１３０２とそれぞれ同様に、共に働くことができる電気的コンポーネントの論理グルーピング１６０２を備えている。示されているように、論理グルーピング１６０２は、フェムトセルビーコンに関係付けられている周波数をスキャンするようにワイヤレス端末に命令する制御メッセージを発生させる電気的コンポーネント１６１０を備えることがある。さらに、論理グルーピング１６０２は、ワイヤレス端末に制御メッセージを送信する電気的コンポーネント１６１２と、少なくとも１つのビ―コン属性を含む報告をワイヤレス端末から受信する別の電気的コンポーネント１６１４とを備えることがある。論理グルーピング１６０２はまた、少なくとも１つのビーコン属性に基づいて、フェムトセルの検出を把握する電気的コンポーネント１６１６とともに、フェムトセルへのハンドオーバーを促進する少なくとも１つのビーコン属性に基づいて、フェムトセルの識別を把握する電気的コンポーネント１６１８を備えることがある。さらに、システム１６００は、電気的コンポーネント１６１０と、電気的コンポーネント１６１２と、電気的コンポーネント１６１４と、電気的コンポーネント１６１６と、電気的コンポーネント１６１８とに関係付けられている機能を実行するための命令を保持するメモリ１６２０を備えることがある。メモリ１６２０の外部にあるものとして示されているが、電気的コンポーネント１６１０と、電気的コンポーネント１６１２と、電気的コンポーネント１６１４と、電気的コンポーネント１６１６と、電気的コンポーネント１６１８は、メモリ１６２０内に存在させることができることを理解すべきである。
【０１１６】
次に図１７を参照すると、マクロネットワークからのビーコン支援ハンドオーバーを促進するための例示的な方法を示すフローチャートが提供されている。示されているように、プロセス１７００は、主題的な明細書の態様にしたがった、マクロネットワークデバイスにより実行してもよい一連のアクトを含んでいる。例えば、プロセッサを用いて、コンピュータ読取可能記憶媒体上に記憶されているコンピュータ実行可能な命令を実行して、一連のアクトを実現することにより、プロセス１７００を実現してもよい。別の実施形態では、少なくとも１つのコンピュータに、プロセス１７００のアクトを実現させるためのコードを含むコンピュータ読取可能記憶媒体が企図されている。
【０１１７】
ある態様において、プロセス１７００は、アクト１７０５において開始し、マクロネットワークデバイスが、ワイヤレス端末とのアクティブな通信を確立する。次に、アクト１７１０において、マクロネットワークは、ワイヤレス端末に制御メッセージを送り、制御メッセージは、さまざまな機能を実行するための命令を含んでいる。この実施形態に対しては、制御メッセージは、ビーコン信号の存在に対して特定の周波数をスキャンするようにワイヤレス端末に命令する。アクト１７１５において、マクロネットワークは、ワイヤレス端末から報告を受信し、ビーコンイベントが検出されたか否かを決定する。ビーコンイベントが何ら検出されなかった場合に、マクロネットワークは、アクト１７３０において、マクロネットワークサービスを提供し続け、その後、プロセス１７００は、アクト１７１５にループバックし、マクロネットワークは、ビーコンイベント通知を待ち続ける。
【０１１８】
以前に述べたように、マクロネットワークは、ハンドオーバーを実行する前に、圧縮モードセンシングを実行するようにワイヤレス端末に命令してもよい。したがって、アクト１７１５において、ビーコンイベントが実際に検出された場合には、圧縮モードセンシングを実行するか否かに関する決定が、アクト１７２０においてなされる。圧縮モードセンシングが何ら望まれていない場合には、プロセス１７００は、アクト１７２５において終了し、検出されたビーコンをブロードキャストしたフェムトセルに、アクティブな通信をハンドオーバーする。
【０１１９】
しかしながら、アクト１７２０において、圧縮モードセンシングが実際に望まれている場合には、プロセス１７００は、アクト１７３５に進み、フェムトセルの動作周波数に対してフェムトセルイベントをスキャンするようにワイヤレス端末に命令する、後続する制御メッセージを、マクロネットワークが送る。アクト１７４０において、マクロネットワークは、ワイヤレス端末から報告を受信し、フェムトセルイベントが検出されたか否かを決定する。フェムトセルイベントが何ら検出されなかった場合に、マクロネットワークは、アクト１７４５において、マクロネットワークサービスを提供し続け、プロセス１７００は、その後、アクト１７４０にループバックし、マクロネットワークは、フェムトセルイベント通知を待ち続ける。そうではなく、フェムトセルイベントが実際に検出された場合には、プロセス１７００は、アクト１７２５において終了し、検出されたビーコンをブロードキャストしたセルに、アクティブな通信をハンドオーバーする。
【０１２０】
例示的な通信システム
次に図１８を参照すると、複数のセル：セルＩ １８０２、セルＭ １８０４を含む、さまざまな態様にしたがって実現される例示的な通信システム１８００が提供されている。ここで、隣接するセル１８０２、１８０４は、セル境界領域１８６８により示されているように、わずかにオーバーラップしており、それにより、隣接するセル中の基地局により送信される信号間の信号干渉に対する可能性を生成させる。システム１８００の各セル１８０２、１８０４は、３つのセクターを含んでいる。さまざまな態様にしたがうと、複数のセクターに再分割されていない（Ｎ＝１）セルと、２つのセクターを持つ（Ｎ＝２）セルと、３つより多いセクターを持つ（Ｎ＞３）セルもまた、ありえる。セル１８０２は、第１のセクター、セクターＩ １８１０と、第２のセクター、セクターＩＩ １８１２と、第３のセクター、セクターＩＩＩ １８１４とを含んでいる。各セクター１８１０、１８１２、および、１８１４は、２つのセクター境界領域を有している；それぞれの境界領域は、２つの隣り合うセクター間で共有されている。
【０１２１】
セクター境界領域は、隣接するセクター中の基地局により送信された信号間の信号干渉に対する可能性を提供する。線１８１６は、セクターＩ １８１０とセクターＩＩ １８１２との間のセクター境界領域を表し；線１８１８は、セクターＩＩ １８１２とセクターＩＩＩ １８１４との間のセクター境界領域を表し；線１８２０は、セクターＩＩＩ １８１４とセクターＩ １８１０との間のセクター境界領域を表す。同様に、セルＭ １８０４は、第１のセクター、セクターＩ １８２２と、第２のセクター、セクターＩＩ １８２４と、第３のセクター、セクターＩＩＩ １８２６とを含んでいる。線１８２８は、セクターＩ １８２２とセクターＩＩ １８２４との間のセクター境界領域を表し；線１８３０は、セクターＩＩ １８２４とセクターＩＩＩ １８２６との間のセクター境界領域を表し；線１８３２は、セクターＩＩＩ １８２６とセクターＩ １８２２との間の境界領域を表す。セルＩ １８０２は、基地局（ＢＳ）、基地局Ｉ １８０６と、各セクター１８１０中、１８１２中、１８１４中の複数のエンドノード（ＥＮ）とを含んでいる。セクターＩ １８１０は、それぞれワイヤレスリンク１８４０、１８４２を通してＢＳ１ １８０６に結合されている、ＥＮ（１）１８３６およびＥＮ（Ｘ）１８３８を含み；セクターＩＩ １８１２は、それぞれワイヤレスリンク１８４８、１８５０を通してＢＳ１ １８０６に結合されている、ＥＮ（１’）１８４４およびＥＮ（Ｘ’）１８４６を含み；セクターＩＩＩ １８１４は、それぞれワイヤレスリンク１８５６、１８５８を通してＢＳ１ １８０６に結合されている、ＥＮ（１’’）１８５２およびＥＮ（Ｘ’’）１８５４を含んでいる。同様に、セルＭ １８０４は、基地局Ｍ １８０８と、各セクター１８２２中、１８２４中、および、１８２６中の複数のエンドノード（ＥＮ）とを含んでいる。セクターＩ １８２２は、それぞれワイヤレスリンク１８４０’、１８４２’を通してＢＳ Ｍ１８０８に結合されている、ＥＮ（１）１８３６’およびＥＮ（Ｘ）１８３８’を含み；セクターＩＩ １８２４は、それぞれワイヤレスリンク１８４８’、１８５０’を通してＢＳ Ｍ１８０８に結合されている、ＥＮ（１’）１８４４’およびＥＮ（Ｘ’）１８４６’を含み；セクター３ １８２６は、それぞれワイヤレスリンク１８５６’、１８５８’を通してＢＳ Ｍ１８０８に結合されている、ＥＮ（１’’）１８５２’およびＥＮ（Ｘ’’）１８５４’を含んでいる。
【０１２２】
システム１８００はまた、それぞれネットワークリンク１８６２、１８６４を通して、ＢＳ Ｉ １８０６とＢＳ Ｍ １８０８とに結合されているネットワークノード１８６０を含んでいる。ネットワークノード１８６０はまた、ネットワークリンク１８６６を通して、例えば、他の基地局や、ＡＡＡサーバノードや、中間ノードや、ルータ等のような他のネットワークノードと、インターネットとに結合されている。ネットワークリンク１８６２、１８６４、１８６６は、例えば、光ファイバケーブルであってもよい。各エンドノード、例えば、ＥＮ １ １８３６は、送信機とともに受信機を備えるワイヤレス端末であってもよい。ワイヤレス端末、例えば、ＥＮ（１）１８３６は、システム１８００を通して移動してもよく、ＥＮが現在位置しているセル中の基地局とのワイヤレスリンクを通して、通信してもよい。ワイヤレス端末（ＷＴ）、例えば、ＥＮ（１）１８３６は、例えばＢＳ１８０６のような基地局をおよび／またはネットワークノード１８６０を通して、例えば、システム１８００中の他のＷＴあるいは外部システム中１８００の他のＷＴのような、ピアノードと、通信することができる。ＷＴ、例えば、ＥＮ（１）１８３６は、セル電話機や、ワイヤレスモデムを持つパーソナルデータアシスタント等のような、移動体通信デバイスであってもよい。それぞれの基地局は、例えば、非ストリップシンボル期間のような、残りのシンボル期間中に、トーンを割り振って、トーンホッピングを決定するために用いられる方法とは異なる方法を、ストリップシンボル期間に対して使用して、トーンサブセット割り振りを実行する。ワイヤレス端末は、トーンサブセット割り振り方法とともに、例えば、基地局スロープＩＤ情報やセクターＩＤ情報のような、基地局から受信した情報を使用して、特定のストリップシンボル期間において、データおよび情報を受信するために、それらが用いることができるトーンを決定する。それぞれのトーンにわたって、セクター間干渉およびセル間干渉を拡散させるために、さまざまな態様にしたがって、トーンサブセット割り振りシーケンスが構築される。主にセルラモードの文脈内で、主題的なシステムを説明したが、ここで説明する態様にしたがって、複数のモードが利用可能および使用可能であってもよいことを正しく認識すべきである。
【０１２３】
例示的な基地局
図１９は、さまざまな態様にしたがった、例示的な基地局１９００を示している。基地局１９００は、トーンサブセット割り振りシーケンスを実現し、セルのそれぞれの異なるセクタータイプに対して、異なるトーンサブセット割り振りシーケンスが発生される。基地局１９００は、図１８のシステム１８００の基地局１８０６、１８０８のうちのいずれか１つのとして使用してもよい。基地局１９００は、バス１９０９によって互いに結合されている、受信機１９０２と、送信機１９０４と、例えばＣＰＵのようなプロセッサ１９０６と、入力／出力インターフェース１９０８と、メモリ１９１０とを備えており、バス１９０９を通して、さまざまなエレメント１９０２、１９０４、１９０６、１９０８、および、１９１０が、データおよび情報を相互交換することができる。
【０１２４】
受信機１９０２に結合されているセクター化アンテナ１９０３は、基地局のセル内の各セクターのワイヤレス端末送信から、データおよび他の信号を、例えば、チャネル報告を、受信するために使用される。送信機１９０４に結合されているセクター化アンテナ１９０５は、基地局のセルの各セクター内のワイヤレス端末２０００（図２０を参照）に対して、データおよび他の信号を、例えば、制御信号、パイロット信号、ビーコン信号等を送信するために使用される。さまざまな態様において、基地局１９００は、複数の受信機１９０２と複数の送信機１９０４とを用いてもよく、例えば、各セクターに対して個々の受信機１９０２を用い、各セクターに対して個々の送信機１９０４を用いてもよい。プロセッサ１９０６は、例えば、汎用中央処理ユニット（ＣＰＵ）であってもよい。プロセッサ１９０６は、メモリ１９１０中に記憶されている１つ以上のルーチン１９１８の命令下で、基地局１９００の動作を制御し、方法を実現する。Ｉ／Ｏインターフェース１９０８は、他のネットワークノードに対する接続を提供して、他の基地局、アクセスルータ、ＡＡＡサーバノード等にＢＳ１９００を結合させ、そして、他のネットワークに対する接続と、インターネットに対する接続とを提供する。メモリ１９１０は、ルーチン１９１８と、データ／情報１９２０とを含んでいる。
【０１２５】
データ／情報１９２０は、データ１９３６と、ダウンリンクストリップシンボル時間情報１９４０およびダウンリンクトーン情報１９４２を含むトーンサブセット割り振りシーケンス情報１９３８と、複数のセットのワイヤレス端末（ＷＴ）情報：ＷＴ １情報１９４６およびＷＴ Ｎ情報１９６０を含むワイヤレス端末（ＷＴ）データ／情報１９４４とを含んでいる。例えば、ＷＴ １情報１９４６のようなＷＴ情報の各セットは、データ１９４８と、端末ＩＤ１９５０と、セクターＩＤ １９５２と、アップリンクチャネル情報１９５４と、ダウンリンクチャネル情報１９５６と、モード情報１９５８とを含んでいる。
【０１２６】
ルーチン１９１８は、通信ルーチン１９２２と、基地局制御ルーチン１９２４とを含んでいる。基地局制御ルーチン１９２４は、スケジューラモジュール１９２６と、シグナリングルーチン１９２８とを含んでおり、シグナリングルーチン１９２８は、ストリップシンボル期間に対するトーンサブセット割り振りルーチン１９３０と、例えば、非ストリップシンボル期間のような、シンボル期間の残りのものに対する他のダウンリンクトーン割り振りホッピングルーチン１９３２と、ビーコンルーチン１９３４とを含んでいる。
【０１２７】
データ１９３６は、ＷＴへの送信の前にエンコードするために、送信機１９０４のエンコーダ１９１４に送られる、送信されることになるデータと、受信に続いて、受信機１９０２のデコーダ１９１２により処理された、ＷＴから受信したデータとを含んでいる。ダウンリンクストリップシンボル時間情報１９４０は、スーパースロット構造情報、ビーコンスロット構造情報、および、ウルトラスロット構造情報のような、フレーム同期化構造情報と、所定のシンボル期間がストリップシンボル期間であるか否かを特定し、そして、そうである場合には、ストリップシンボル期間のインデックスを特定し、ストリップシンボルが、基地局により使用されるトーンサブセット割り振りシーケンスを打ち切る再セッティングポイントであるか否かを特定する情報とを含んでいる。ダウンリンクトーン情報１９４２は、基地局１９００に割り当てられている搬送波周波数や、トーンの数および周波数や、ストリップシンボル期間に割り振られることになる１セットのトーンサブセットを含む情報と、スロープ、スロープインデックス、および、セクタータイプのような、他のセルにおよびセクターに特有な値とを含んでいる。
【０１２８】
データ１９４８は、ＷＴ １ ２０００がピアノードから受信したデータと、ＷＴ １ ２０００がピアノードに送信することを望むデータと、ダウンリンクチャネル品質報告フィードバック情報とを含んでいてもよい。端末ＩＤ １９５０は、ＷＴ １ ２０００を識別する基地局１９００割り当てＩＤである。セクターＩＤ １９５２は、ＷＴ １ ２０００が動作するセクターを識別する情報を含んでいる。セクターＩＤ １９５２を使用して、例えば、セクタータイプを決定することができる。アップリンクチャネル情報１９５４は、例えば、データのためのアップリンクトラフィックチャネルセグメントや、要求、電力制御、タイミング制御等のための専用アップリンク制御チャネルのような、ＷＴ １ ２０００が使用するために、スケジューラ１９２６により割り振られているチャネルセグメントを識別する情報を含んでいる。ＷＴ １ ２０００に割り当てられている各アップリンクチャネルは、１つ以上の論理トーンを含み、各論理トーンは、アップリンクホッピングシーケンスに続く。ダウンリンクチャネル情報１９５６は、例えば、ユーザデータのためのダウンリンクトラフィックチャネルセグメントのような、データおよび／または情報をＷＴ １ ２０００に運ぶためにスケジューラ１９２６により割り振られているチャネルセグメントを識別する情報を含んでいる。ＷＴ １ ２０００に割り当てられている各ダウンリンクチャネルは、１つ以上の論理トーンを含み、それぞれが、ダウンリンクホッピングシーケンスに続く。モード情報１９５８は、例えば、スリープ、ホールド、オンのような、ＷＴ １ ２０００の動作の状態を識別する情報を含んでいる。
【０１２９】
通信ルーチン１９２２は、基地局１９００を制御して、さまざまな通信動作を実行し、さまざまな通信プロトコルを実現する。基地局制御ルーチン１９２４を使用して、基地局１９００を制御して、例えば、信号発生および受信や、スケジューリングのような、基本的な基地局機能タスクを実行し、ならびに、ストリップシンボル期間の間に、トーンサブセット割り振りシーケンスを使用して、ワイヤレス端末に信号を送信することを含むいくつかの態様の方法のステップを実現する。
【０１３０】
シグナリングルーチン１９２８は、そのデコーダ１９１２を持つ受信機１９０２の動作と、そのエンコーダ１９１４を持つ送信機１９０４の動作とを制御する。シグナリングルーチン１９２８は、送信するデータ１９３６と制御情報との発生を制御することを担っている。トーンサブセット割り振りルーチン１９３０は、ある態様の方法を使用して、および、ダウンリンクストリップシンボル時間情報１９４０とセクターＩＤ １９５２とを含むデータ／情報１９２０を使用して、ストリップシンボル期間中で使用されることになるトーンサブセットを構築する。ダウンリンクトーンサブセット割り振りシーケンスは、セル中の各セクタータイプに対して異なり、隣り合うセルに対して異なるだろう。ＷＴ２０００は、ダウンリンクトーンサブセット割り振りシーケンスにしたがって、ストリップシンボル期間中に信号を受信する；基地局１９００は、送信する信号を発生させるために、同じダウンリンクトーンサブセット割り振りシーケンスを使用する。他のダウンリンクトーン割り振りホッピングルーチン１９３２は、ダウンリンクトーン情報１９４２と、ダウンリンクチャネル情報１９５６とを含む情報を使用して、ストリップシンボル期間以外のシンボル期間に対する、ダウンリンクトーンホッピングシーケンスを構築する。ダウンリンクデータトーンホッピングシーケンスは、セルのセクターにわたって同期化される。ビーコンルーチン１９３４は、例えば、１つのまたは少数のトーン上に集中している比較的高い電力信号の信号のような、ビーコン信号の送信を制御し、同期化の目的のために、例えば、ダウンリンク信号のフレームタイミング構造と、それゆえ、ウルトラスロット境界に関するトーンサブセット割り振りシーケンスとを同期化するために、これを使用してもよい。
【０１３１】
例示的なワイヤレス端末
図２０は、図１８中で示されているシステム１８００のワイヤレス端末（エンドノード）のうちのいずれか１つとして、例えば、ＥＮ（１）１８３６として、使用することができる、例示的なワイヤレス端末（エンドノード）２０００を示している。ワイヤレス端末２０００は、トーンサブセット割り振りシーケンスを実現する。ワイヤレス端末２０００は、デコーダ２０１２を備える受信機２００２と、エンコーダ２０１４を備える送信機２００４と、プロセッサ２００６と、メモリ２００８とを具備し、これらは、その上でさまざまなエレメント２００２、２００４、２００６、２００８がデータおよび情報を相互交換することができるバス２０１０により互いに結合されている。基地局（および／または異なるワイヤレス端末）から信号を受信するために使用するアンテナ２００３は、受信機２００２に結合されている。例えば、基地局（および／または、異なるワイヤレス端末）に信号を送信するために使用するアンテナ２００５は、送信機２００４に結合されている。
【０１３２】
例えばＣＰＵのようなプロセッサ２００６は、ワイヤレス端末２０００の動作を制御し、ルーチン２０２０を実行することにより、および、メモリ２００８中のデータ／情報２０２２を使用することにより、方法を実現する。
【０１３３】
データ／情報２０２２は、ユーザデータ２０３４と、ユーザ情報２０３６と、トーンサブセット割り振りシーケンス情報２０５０とを含んでいる。ユーザデータ２０３４は、ピアノードに向けられ、送信機２００４による基地局への送信の前にエンコードするために、エンコーダ２０１４にルーティングされるだろうデータと、受信機２００２中のデコーダ２０１２により処理された、基地局から受信したデータとを含んでいてもよい。ユーザ情報２０３６は、アップリンクチャネル情報２０３８と、ダウンリンクチャネル情報２０４０と、端末ＩＤ情報２０４２と、基地局ＩＤ情報２０４４と、セクターＩＤ情報２０４６と、モード情報２０４８とを含んでいる。アップリンクチャネル情報２０３８は、基地局に送信するときに使用するために、基地局によりワイヤレス端末２０００に対して割り当てられたアップリンクチャネルセグメントを識別する情報を含んでいる。アップリンクチャネルは、アップリンクトラフィックチャネルや、例えば、要求チャネル、電力制御チャネル、および、タイミング制御チャネルのような、専用アップリンク制御チャネルを含んでいてもよい。各アップリンクチャネルは、１つ以上の論理トーンを含み、各論理トーンは、アップリンクトーンホッピングシーケンスに続く。アップリンクホッピングシーケンスは、セルの各セクタータイプ間で異なり、隣り合うセル間で異なる。ダウンリンクチャネル情報２０４０は、基地局がＷＴ２０００にデータ／情報を送信するときに使用するために、基地局によりＷＴ２０００に割り当てられたダウンリンクチャネルセグメントを識別する情報を含んでいる。ダウンリンクチャネルは、ダウンリンクトラフィックチャネルと割り当てチャネルとを含んでいてもよく、各ダウンリンクチャネルは、１つ以上の論理トーンを含み、各論理トーンは、ダウンリンクホッピングシーケンスに続き、ダウンリンクホッピングシーケンスは、セルの各セクター間で同期化される。
【０１３４】
ユーザ情報２０３６はまた、基地局割り当て識別子である端末ＩＤ情報２０４２と、ＷＴが通信を確立している特定の基地局を識別する基地局ＩＤ情報２０４４と、ＷＴ２０００が現在位置しているセルの特定のセクターを識別するセクターＩＤ情報２０４６とを含んでいる。基地局ＩＤ ２０４４は、セルスロープ値を提供し、セクターＩＤ情報２０４６は、セクターインデックスタイプを提供する；セルスロープ値およびセクターインデックスタイプは、トーンホッピングシーケンスを導出するために使用される。ユーザ情報２０３６中に含まれているモード情報２０４８はまた、ＷＴ２０００が、スリープモードであるか、ホールドモードであるか、または、オンモードであるか否かを識別する。
【０１３５】
トーンサブセット割り振りシーケンス情報２０５０は、ダウンリンクストリップシンボル時間情報２０５２と、ダウンリンクトーン情報２０５４とを含んでいる。ダウンリンクストリップシンボル時間情報２０５２は、スーパースロット構造情報、ビーコンスロット構造情報、および、ウルトラスロット構造情報のような、フレーム同期化構造情報と、所定のシンボル期間がストリップシンボル期間であるか否か、そして、そうである場合には、ストリップシンボル期間のインデックスを特定し、ならびに、ストリップシンボルが、基地局により使用されるトーンサブセット割り振りシーケンスを打ち切る再セッティングポイントであるか否かを特定する情報とを含んでいる。ダウンリンクトーン情報２０５４は、基地局に割り当てられている搬送波周波数や、トーンの数および周波数や、ストリップシンボル期間に割り振られることになる１セットのトーンサブセットを含む情報と、スロープ、スロープインデックス、および、セクタータイプのような、他のセルにおよびセクターに特有な値とを含んでいる。
【０１３６】
ルーチン２０２０は、通信ルーチン２０２４と、ワイヤレス端末制御ルーチン２０２６とを含んでいる。通信ルーチン２０２４は、ＷＴ２０００により使用されるさまざまな通信プロトコルを制御する。ワイヤレス端末制御ルーチン２０２６は、受信機２００２の制御と送信機２００４の制御とを含む、基本的なワイヤレス端末２０００機能性を制御する。ワイヤレス端末制御ルーチン２０２６は、シグナリングルーチン２０２８を含んでいる。シグナリングルーチン２０２８は、ストリップシンボル期間に対するトーンサブセット割り振りルーチン２０３０と、例えば、非ストリップシンボル期間のような、シンボル期間のその他のものに対する、他のダウンリンクトーン割り振りホッピングルーチン２０３２とを含んでいる。トーンサブセット割り振りルーチン２０３０は、いくつかの態様にしたがって、ダウンリンクトーンサブセット割り振りシーケンスを発生させて、基地局から送信された受信データを処理するために、ダウンリンクチャネル情報２０４０と、例えば、スロープインデックスおよびセクタータイプのような、基地局ＩＤ情報２０４４と、ダウンリンクトーン情報２０５４とを含むユーザデータ／情報２０２２を使用する。他のダウンリンクトーン割り振りホッピングルーチン２０３０は、ダウンリンクトーン情報２０５４と、ダウンリンクチャネル情報２０４０とを含む情報を使用して、ストリップシンボル期間以外のシンボル期間に対する、ダウンリンクトーンホッピングシーケンスを構築する。トーンサブセット割り振りルーチン２０３０は、プロセッサ２００６により実行されるときに、いつ、どのトーン上で、ワイヤレス端末が基地局１９００から１つ以上のストリップシンボル信号を受信することになるかを決定するために使用される。アップリンクトーン割り振りホッピングルーチン２０３０は、自身が送信すべきトーンを決定するために、基地局から受信した情報とともに、トーンサブセット割り振り関数を使用する。
【０１３７】
１つ以上の例示的な実施形態において、説明した機能は、ハードウェアで、ソフトウェアで、ファームウェアで、または、これらのものを組み合わせた任意のもので実現してもよい。ソフトウェアで実現した場合、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの移送を促進する何らかの媒体を含むコンピュータ記憶媒体および通信媒体の双方を含む。記憶媒体は、コンピュータによりアクセスできる何らかの利用可能な媒体であってもよい。例として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、コンピュータによりアクセスでき、命令またはデータ構造の形態で所望のプログラムコードを運ぶまたは記憶するために使用できる他の何らかの媒体を含んでいてもよい。また、あらゆる接続は、コンピュータ読取可能媒体と適切に呼ばれる。例えば、ソフトウェアが、同軸ケーブルや、光ファイバケーブルや、撚り対や、デジタル加入者回線（ＤＳＬ）や、あるいは、赤外線、無線、および、マイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、および、マイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイディスク（登録商標）を含むが、一般的に、ディスク（ｄｉｓｋ）は、データを磁気的に再生する一方で、ディスク（ｄｉｓｃ）はデータをレーザによって光学的に再生する。先のものを組み合わせたものもまた、コンピュータ読取可能媒体の範囲内に含められるべきである。
【０１３８】
プログラムコードまたはコードセグメントで実施形態を実現したときに、コードセグメントは、手順、関数、サブプログラム、プログラム、ルーチン、サブルーチン、モジュール、ソフトウェアパッケージ、クラス、あるいは、命令の任意の組み合わせ、データ構造、またはプログラムステートメントの何らかの組み合わせを表すことができることを正しく認識すべきである。情報、データ、変数、パラメータ、またはメモリ定数を渡す、および／または、受信することによって、コードセグメントを、別のコードセグメントまたはハードウェア回路に結合することができる。メモリ共有、メッセージパッシング、トークンパッシング、ネットワーク送信等を含む何らかの適切な手段を使用して、情報、変数、パラメータ、データ等を、渡してもよく、転送してもよく、または送信してもよい。付加的に、何らかの態様において、方法あるいはアルゴリズムのステップおよび／またはアクションは、コードおよび／または命令のうちの１つとして、あるいは、コードおよび／または命令の何らかの組み合わせとして、あるいは、コードおよび／または命令のセットとして、コンピュータプログラムプロダクト中に組み込むことができる、機械読取可能媒体上におよび／またはコンピュータ読取可能媒体上に、存在することができる。
【０１３９】
ソフトウェアインプリメンテーションのために、ここで説明した機能を実行するモジュール（例えば、手順、関数等）により、ここで説明した技術を実現してもよい。ソフトウェアコードは、メモリユニット中に記憶して、プロセッサによって実行することができる。技術的に知られているようなさまざまな手段によって、メモリユニットをプロセッサに通信可能に結合することができる場合に、メモリユニットはプロセッサ内部またはプロセッサの外部で実現することができる。
【０１４０】
ハードウェアインプリメンテーションのために、処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、制御装置、マイクロ制御装置、マイクロプロセッサ、ここで説明した機能を実行するように設計されている他の電子ユニット、あるいは、これらを組み合わせたもの内で実現してもよい。
【０１４１】
先に記述していることは、１つ以上の実施形態の例を含んでいる。もちろん、前述した実施形態を説明する目的のためにコンポーネントまたは方法論のすべての考えられる組み合わせを説明することは不可能であるが、当業者は、さまざまな実施形態の多くのさらなる組み合わせおよび置換が可能であることを認識してもよい。したがって、説明した実施形態は、添付した特許請求の範囲の精神および範囲内にあるすべてのこのような変更、修正およびバリエーションを含むことを意図している。さらに、「含む」という用語が詳細な説明または特許請求の範囲のいずれかで使用される限り、このような用語は、請求項中で移行語として用いるときに「具備する」が解釈されるように、用語「具備する」に類似した方法で包括的であることが意図されている。
【０１４２】
ここで使用するように、“推論する”または“推論”という用語は、一般的に、イベントまたはデータを通して捕捉されるような１セットの観測から、システム、環境、または、ユーザの状態について推理するあるいは推論するプロセスのことを指す。推論は、特定の状況またはアクションを識別するために用いることができ、あるいは、例えば、状態に対する確率分散を生成させることができる。推論は、確率論的なものである−すなわち、データおよびイベントの考察に基づいての、対象の状態に対する確率分散の計算とすることができる。推論はまた、１セットのイベントおよび／またはデータから、より高いレベルのイベントを構成するために用いられる技法のことを指すこともある。このような推論は、イベントが時間的に近いところで相関しているか否かにかかわらず、ならびに、イベントおよびデータが、１つまたはいくつかの、イベントならびにデータソースから到来したか否かにかかわらず、結果として、１セットの観測されたイベントおよび／または記憶されたイベントデータからの、新しいイベントまたはアクションの構築になる。
【０１４３】
さらに、本出願で使用しているように、用語“コンポーネント”、“モジュール”、“システム”、および、これらに類するものは、ハードウェアや、ハードウェアとソフトウェアとの組み合わせや、ソフトウェアや、または、実行中のソフトウェアのいずれかである、コンピュータ関連エンティティのことを指すことを意図している。例えば、コンポーネントは、これらに限定されないが、プロセッサ上で動作しているプロセス、プロセッサ、オブジェクト、実行ファイル、実行スレッド、プログラム、および／または、コンピュータとすることができる。例として、コンピューティングデバイス上で動作しているアプリケーションとコンピューティングデバイスの双方をコンポーネントとすることができる。１つ以上のコンポーネントが、プロセスおよび／または実行スレッド内に存在することができ、コンポーネントは、１つのコンピュータ上に局所化させることができ、および／または、２つ以上のコンピュータの間に分散させることができる。加えて、それらの上にさまざまなデータ構造を記憶させているさまざまなコンピュータ読取可能媒体から、これらのコンポーネントは実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信することができる。
以下に、本願出願当初の特許請求の範囲に記載された発明を付記する。
［１］ワイヤレス端末からのビーコン支援ハンドオーバーを促進する方法において、
プロセッサを用いて、コンピュータ読取可能記憶媒体上に記憶されているコンピュータ実行可能な命令を実行して、
基地局とのアクティブな通信の間に、制御メッセージを受信することと、
前記制御メッセージ中で識別された周波数をスキャンすることと、
前記基地局に報告を送信することとを含む、一連のアクトを実現することを含み、
前記アクティブな通信は、前記基地局を通してマクロネットワークにより促進され、
前記周波数は、フェムトセルにより送信されたビーコンに関係付けられており、
前記報告は、前記ビーコンに関係付けられている属性を含む方法。
［２］前記属性は、前記ビーコンに関係付けられている測定値である［１］記載の方法。
［３］前記ビーコンに関係付けられているフレーム番号を把握することをさらに含み、前記属性は、前記フレーム番号である［１］記載の方法。
［４］前記ビーコンに関係付けられているスクランブリングコードを把握することをさらに含み、前記属性は、前記スクランブリングコードである［１］記載の方法。
［５］前記フェムトセルの動作周波数に関係付けられているフェムトセル属性を把握することをさらに含み、前記報告は、前記フェムトセル属性を含む［１］記載の方法。
［６］前記動作周波数に関係付けられているスクランブリングコードを把握することをさらに含み、前記フェムトセル属性は、前記スクランブリングコードである［５］記載の方法。
［７］ワイヤレス端末からのビーコン支援ハンドオーバーを促進する装置において、
前記装置は、
メモリ中に記憶されているコンピュータ実行可能なコンポーネントを実行するように構成されているプロセッサを具備し、
前記コンポーネントは、
基地局とのアクティブな通信の間に、制御メッセージを受信するように構成されている受信コンポーネントと、
前記制御メッセージ中で識別された周波数をスキャンするように構成されているスキャニングコンポーネントと、
前記基地局に報告を送信するように構成されている送信コンポーネントとを含み、
前記アクティブな通信は、前記基地局を通してマクロネットワークにより促進され、
前記周波数は、フェムトセルにより送信されたビーコンに関係付けられており、
前記周波数は、前記フェムトセルの動作周波数とは異なり、
前記報告は、前記ビーコンに関係付けられている属性を含む装置。
［８］前記ビーコンに関係付けられている測定値を把握するように構成されている解析コンポーネントをさらに具備し、前記属性は、前記測定値である［７］記載の装置。
［９］前記ビーコンに関係付けられているフレーム番号を把握するように構成されている解析コンポーネントをさらに具備し、前記属性は、前記フレーム番号である［７］記載の装置。
［１０］前記ビーコンに関係付けられているスクランブリングコードを把握するように構成されている解析コンポーネントをさらに具備し、前記属性は、前記スクランブリングコードである［７］記載の装置。
［１１］フェムトセル属性を把握するように構成されている解析コンポーネントをさらに具備し、前記フェムトセル属性は、前記フェムトセルの前記動作周波数に関係付けられており、前記報告は、前記フェムトセル属性を含む［７］記載の装置。
［１２］前記解析コンポーネントは、前記動作周波数に関係付けられているスクランブリングコードを決定するように構成され、前記フェムトセル属性は、前記スクランブリングコードである［１１］記載の装置。
［１３］コンピュータ読取可能媒体を具備する、ワイヤレス端末からのビーコン支援ハンドオーバーを促進するコンピュータプログラムプロダクトにおいて、
前記コンピュータ読取可能媒体は、少なくとも１つのコンピュータに、
基地局とのアクティブな通信の間に、制御メッセージを受信させ、
前記制御メッセージ中で識別された周波数をスキャンさせ、
前記基地局に報告を送信させるためのコードを含み、
前記アクティブな通信は、前記基地局を通してマクロネットワークにより促進され、
前記周波数は、フェムトセルにより送信されたビーコン信号に関係付けられており、
前記報告は、前記ビーコン信号に関係付けられている属性を含むコンピュータプログラムプロダクト。
［１４］ワイヤレス端末からのビーコン支援ハンドオーバーを促進する装置において、
基地局とのアクティブな通信の間に、制御メッセージを受信する手段と、
前記制御メッセージ中で識別された周波数をスキャンする手段と、
前記基地局に報告を送信する手段とを具備し、
前記アクティブな通信は、前記基地局を通してマクロネットワークにより促進され、
前記周波数は、フェムトセルにより送信されたビーコンに関係付けられており、
前記報告は、前記ビーコンに関係付けられている属性を含む装置。
［１５］前記ビーコンに関係付けられている測定値を把握する手段をさらに具備し、前記属性は、前記測定値である［１４］記載の装置。
［１６］ワイヤレス端末からのビーコン支援ハンドオーバーを促進する方法において、
基地局とのアクティブな通信の間に、制御メッセージを受信することと、
前記制御メッセージ中で識別された周波数をスキャンすることと、
前記基地局に報告を送信することとを含み、
前記アクティブな通信は、前記基地局を通してマクロネットワークにより促進され、
前記周波数は、フェムトセルにより送信されたビーコンに関係付けられており、
前記報告は、前記ビーコンに関係付けられている属性を含む方法。
［１７］フェムトセルからのビーコン支援ハンドオーバーを促進する方法において、
プロセッサを用いて、コンピュータ読取可能記憶媒体上に記憶されているコンピュータ実行可能な命令を実行して、
初期化メッセージを受信することと、
第１の周波数において、前記フェムトセルを動作させることと、
少なくとも１つのビーコン信号をブロードキャストすることとを含む、一連のアクトを実現することを含み、
前記初期化メッセージは、前記フェムトセルに関係付けられている一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストする方法。
［１８］前記一意的な識別子から、タイミングオフセットを把握することをさらに含み、前記フェムトセルを動作させること、または、前記少なくとも１つのビーコン信号をブロードキャストすることのうちの少なくとも１つは、前記タイミングオフセットに基づいている［１７］記載の方法。
［１９］前記一意的な識別子から、前記フェムトセルに関係付けられているスクランブリングコードを把握することをさらに含み、前記スクランブリングコードにしたがって、前記フェムトセルを動作させる［１７］記載の方法。
［２０］前記一意的な識別子から、前記少なくとも１つのビーコン信号に関係付けられているスクランブリングコードを把握することをさらに含み、前記スクランブリングコードにしたがって、前記少なくとも１つのビーコン信号をブロードキャストする［１７］記載の方法。
［２１］ワイヤレス端末を検出することをさらに含み、前記少なくとも１つのビーコン信号を制御することにより、前記ワイヤレス端末との潜在的な干渉を軽減させる［１７］記載の方法。
［２２］前記少なくとも１つのビーコン信号を中止すること、前記少なくとも１つのビーコン信号のブロードキャスト電力を減少させること、または、前記少なくとも１つのビーコン信号の周期を変化させることのうちの少なくとも１つを実行することにより、前記潜在的な干渉を軽減させる［２１］記載の方法。
［２３］前記少なくとも１つのビーコン信号を回復することをさらに含む［２２］記載の方法。
［２４］フェムトセルからのビーコン支援ハンドオーバーを促進する装置において、
前記装置は、
メモリ中に記憶されているコンピュータ実行可能なコンポーネントを実行するように構成されているプロセッサを具備し、
前記コンポーネントは、
初期化メッセージを受信するように構成されている受信コンポーネントと、
第１の周波数において、前記フェムトセルを動作させるように構成されている動作コンポーネントと、
少なくとも１つのビーコン信号をブロードキャストするように構成されている送信コンポーネントとを含み、
前記初期化メッセージは、前記フェムトセルに関係付けられている一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストする装置。
［２５］前記一意的な識別子から、タイミングオフセットを把握するように構成されているタイミングコンポーネントをさらに具備し、前記フェムトセルを動作させること、または、前記少なくとも１つのビーコン信号をブロードキャストすることのうちの少なくとも１つは、前記タイミングオフセットに基づいている［２４］記載の装置。
［２６］前記一意的な識別子から、前記フェムトセルに関係付けられているスクランブリングコードを把握するように構成されているスクランブリングコードコンポーネントをさらに具備し、前記スクランブリングコードにしたがって、前記フェムトセルを動作させる［２４］記載の装置。
［２７］前記一意的な識別子から、前記少なくとも１つのビーコン信号に関係付けられているスクランブリングコードを把握するように構成されているスクランブリングコードコンポーネントをさらに具備し、前記スクランブリングコードにしたがって、前記少なくとも１つのビーコン信号をブロードキャストする［２４］記載の装置。
［２８］ワイヤレス端末を検出するように構成されている軽減コンポーネントをさらに具備し、前記少なくとも１つのビーコン信号を制御することにより、潜在的な干渉を軽減させる［２４］記載の装置。
［２９］前記軽減コンポーネントは、前記少なくとも１つのビーコン信号を中止すること、前記少なくとも１つのビーコン信号のブロードキャスト電力を減少させること、または、前記少なくとも１つのビーコン信号の周期を変化させることのうちの少なくとも１つを実行することにより、前記潜在的な干渉を軽減させるように構成されている［２８］記載の装置。
［３０］前記少なくとも１つのビーコン信号を回復するように構成されている回復コンポーネントをさらに具備する［２９］記載の装置。
［３１］コンピュータ読取可能記憶媒体を具備する、フェムトセルからのビーコン支援ハンドオーバーを促進するコンピュータプログラムプロダクトにおいて、
前記コンピュータ読取可能記憶媒体は、少なくとも１つのコンピュータに、
初期化メッセージを受信させ、
第１の周波数において、前記フェムトセルを動作させ、
少なくとも１つのビーコン信号をブロードキャストさせるためのコードを含み、
前記初期化メッセージは、前記フェムトセルに関係付けられている一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストするコンピュータプログラムプロダクト。
［３２］フェムトセルからのビーコン支援ハンドオーバーを促進する装置において、
初期化メッセージを受信する手段と、
第１の周波数において、前記フェムトセルを動作させる手段と、
少なくとも１つのビーコン信号をブロードキャストする手段とを具備し、
前記初期化メッセージは、前記フェムトセルに関係付けられている一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストする装置。
［３３］ワイヤレス端末を検出する手段をさらに具備し、前記少なくとも１つのビーコン信号を制御することにより、前記ワイヤレス端末との潜在的な干渉を軽減させる［３２］記載の装置。
［３４］フェムトセルからのビーコン支援ハンドオーバーを促進する方法において、
初期化メッセージを受信することと、
第１の周波数において、前記フェムトセルを動作させることと、
少なくとも１つのビーコン信号をブロードキャストすることとを含み、
前記初期化メッセージは、前記フェムトセルに関係付けられている一意的な識別子を含み、
前記一意的な識別子の関数として、前記フェムトセルを動作させ、
前記第１の周波数とは異なる第２の周波数において、前記少なくとも１つのビーコン信号をブロードキャストし、
前記一意的な識別子にしたがって、前記少なくとも１つのビーコン信号をブロードキャストする方法。
［３５］ビーコン支援ハンドオーバーの管理を促進する方法において、
プロセッサを用いて、コンピュータ読取可能記憶媒体上に記憶されているコンピュータ実行可能な命令を実行して、
フェムトセルから通信を受信することと、
前記通信の関数として、前記フェムトセルに対して一意的な識別子を割り当てることと、
前記フェムトセルに対して前記一意的な識別子を送信することとを含む、一連のアクトを実現することを含み、
前記一意的な識別子は、前記フェムトセルからビーコン信号をブロードキャストすることに関係付けられている初期化パラメータを識別する方法。
［３６］前記通信は、前記フェムトセルにより選択されたスクランブリングコードを識別し、前記スクランブリングコードに基づいて、前記一意的な識別子を割り当てる［３５］記載の方法。
［３７］前記一意的な識別子は、前記ビーコン信号に関係付けられているスクランブリングコード、または、前記ビーコン信号に関係付けられているタイミングオフセットのうちの少なくとも１つを識別する［３５］記載の方法。
［３８］前記一意的な識別子は、さらに、前記フェムトセルの動作周波数に関係付けられているスクランブリングコード、または、前記フェムトセルの動作周波数に関係付けられているタイミングオフセットのうちの少なくとも１つを識別する［３５］記載の方法。
［３９］ビーコン支援ハンドオーバーの管理を促進する装置において、
前記装置は、
メモリ中に記憶されているコンピュータ実行可能なコンポーネントを実行するように構成されているプロセッサを具備し、
前記コンポーネントは、
フェムトセルから通信を受信するように構成されている受信コンポーネントと、
前記通信の関数として、前記フェムトセルに対して一意的な識別子を割り当てるように構成されている割り当てコンポーネントと、
前記フェムトセルに対して前記一意的な識別子を送信するように構成されている送信コンポーネントとを含み、
前記一意的な識別子は、前記フェムトセルからビーコン信号をブロードキャストすることに関係付けられている初期化パラメータを識別する装置。
［４０］前記通信は、前記フェムトセルにより選択されたスクランブリングコードを識別し、前記割り当てコンポーネントは、前記スクランブリングコードに基づいて、前記一意的な識別子を割り当てるように構成されている［３９］記載の装置。
［４１］前記割り当てコンポーネントは、前記ビーコン信号に関係付けられているスクランブリングコード、または、前記ビーコン信号に関係付けられているタイミングオフセットのうちの少なくとも１つを把握するように構成され、前記一意的な識別子は、前記スクランブリングコードまたは前記タイミングオフセットのうちの少なくとも１つを識別する［３９］記載の装置。
［４２］前記割り当てコンポーネントは、前記フェムトセルの動作周波数に関係付けられているスクランブリングコード、または、前記フェムトセルの動作周波数に関係付けられているタイミングオフセットのうちの少なくとも１つを把握するように構成され、前記一意的な識別子は、さらに、前記スクランブリングコードまたは前記タイミングオフセットのうちの少なくとも１つを識別する［３９］記載の装置。
［４３］コンピュータ読取可能記憶媒体を具備する、ビーコン支援ハンドオーバーの管理を促進するコンピュータプログラムプロダクトにおいて、
前記コンピュータ読取可能記憶媒体は、少なくとも１つのコンピュータに、
フェムトセルから通信を受信させ、
前記通信の関数として、前記フェムトセルに対して一意的な識別子を割り当てさせ、
前記フェムトセルに対して前記一意的な識別子を送信させるためのコードを含み、
前記一意的な識別子は、前記フェムトセルからビーコン信号をブロードキャストすることに関係付けられている初期化パラメータを識別するコンピュータプログラムプロダクト。
［４４］ビーコン支援ハンドオーバーの管理を促進する装置において、
フェムトセルから通信を受信する手段と、
前記通信の関数として、前記フェムトセルに対して一意的な識別子を割り当てる手段と、
前記フェムトセルに対して前記一意的な識別子を送信する手段とを具備し、
前記一意的な識別子は、前記フェムトセルからビーコン信号をブロードキャストすることに関係付けられている初期化パラメータを識別する装置。
［４５］前記通信は、前記フェムトセルにより選択されたスクランブリングコードを識別し、前記一意的な識別子を割り当てる手段は、前記スクランブリングコードに基づいている［４４］記載の装置。
［４６］ビーコン支援ハンドオーバーの管理を促進する方法において、
フェムトセルから通信を受信することと、
前記通信の関数として、前記フェムトセルに対して一意的な識別子を割り当てることと、
前記フェムトセルに対して前記一意的な識別子を送信することとを含み、
前記一意的な識別子は、前記フェムトセルからビーコン信号をブロードキャストすることに関係付けられている初期化パラメータを識別する方法。
［４７］マクロネットワークからのビーコン支援ハンドオーバーを促進する方法において、
プロセッサを用いて、コンピュータ読取可能記憶媒体上に記憶されているコンピュータ実行可能な命令を実行して、
制御メッセージを発生させることと、
前記制御メッセージをワイヤレス端末に対して送信することと、
少なくとも１つのビーコン属性を含む報告を前記ワイヤレス端末から受信することと、
前記少なくとも１つのビーコン属性に基づいて、フェムトセルの検出を把握することと、
前記少なくとも１つのビーコン属性に基づいて、前記フェムトセルの識別を把握することとを含む、一連のアクトを実現することを含み、
前記制御メッセージは、前記フェムトセルにより送信されたビーコンに関係付けられている周波数をスキャンするように前記ワイヤレス端末に命令し、
前記周波数は、前記フェムトセルの動作周波数とは異なり、
前記フェムトセルへのハンドオーバーは、前記識別により促進される方法。
［４８］前記報告は、前記ビーコンに関係付けられているフレーム番号を含み、前記少なくとも１つのビーコン属性は、前記フレーム番号である［４７］記載の方法。
［４９］前記報告は、前記ビーコンに関係付けられているスクランブリングコードを含み、前記少なくとも１つのビーコン属性は、前記スクランブリングコードである［４７］記載の方法。
［５０］前記フェムトセルの前記動作周波数に関する前記スキャンを実行するように前記ワイヤレス端末に命令することをさらに含み、前記報告は、フェムトセル属性をさらに含み、前記検出、または、前記識別のうちの少なくとも１つは、前記フェムトセル属性に基づいている［４７］記載の方法。
［５１］前記報告は、前記動作周波数に関係付けられているスクランブリングコードを含み、前記フェムトセル属性は、前記スクランブリングコードである［５０］記載の方法。
［５２］フェムトセルゲートウェイに前記報告を送信することをさらに含む［４７］記載の方法。
［５３］マクロネットワークからのビーコン支援ハンドオーバーを促進する装置において、
前記装置は、
メモリ中に記憶されているコンピュータ実行可能なコンポーネントを実行するように構成されているプロセッサを具備し、
前記コンポーネントは、
制御メッセージを発生させるように構成されているメッセージ発生コンポーネントと、
前記制御メッセージをワイヤレス端末に対して送信するように構成されている送信コンポーネントと、
少なくとも１つのビーコン属性を含む報告を前記ワイヤレス端末から受信するように構成されている受信コンポーネントと、
前記少なくとも１つのビーコン属性に基づいて、フェムトセルの検出を把握するように構成されている検出コンポーネントと、
前記少なくとも１つのビーコン属性に基づいて、前記フェムトセルの識別を決定するように構成されている識別コンポーネントとを含み、
前記制御メッセージは、前記フェムトセルにより送信されたビーコンに関係付けられている周波数をスキャンするように前記ワイヤレス端末に命令し、
前記周波数は、前記フェムトセルの動作周波数とは異なり、
前記フェムトセルへのハンドオーバーは、前記識別により促進される装置。
［５４］前記報告は、前記ビーコンに関係付けられているフレーム番号を含み、前記少なくとも１つのビーコン属性は、前記フレーム番号である［５３］記載の装置。
［５５］前記報告は、前記ビーコンに関係付けられているスクランブリングコードを含み、前記少なくとも１つのビーコン属性は、前記スクランブリングコードである［５３］記載の装置。
［５６］前記メッセージ発生コンポーネントは、前記フェムトセルの前記動作周波数に関する前記スキャンを実行するように前記ワイヤレス端末に命令する後続するメッセージを発生させるように構成され、前記報告は、フェムトセル属性をさらに含み、前記検出、または、前記識別のうちの少なくとも１つは、前記フェムトセル属性に基づいている［５３］記載の装置。
［５７］前記報告は、前記動作周波数に関係付けられているスクランブリングコードを含み、前記フェムトセル属性は、前記スクランブリングコードである［５６］記載の装置。
［５８］前記送信コンポーネントは、フェムトセルゲートウェイに前記報告を送信するようにさらに構成されている［５３］記載の装置。
［５９］コンピュータ読取可能記憶媒体を具備する、マクロネットワークからのビーコン支援ハンドオーバーを促進するコンピュータプログラムプロダクトにおいて、
前記コンピュータ読取可能媒体は、少なくとも１つのコンピュータに、
制御メッセージを発生させ、
前記制御メッセージをワイヤレス端末に対して送信させ、
少なくとも１つのビーコン属性を含む報告を前記ワイヤレス端末から受信させ、
前記少なくとも１つのビーコン属性に基づいて、フェムトセルの検出を把握させ、
前記少なくとも１つのビーコン属性に基づいて、前記フェムトセルの識別を決定させるためのコードを含み、
前記制御メッセージは、前記フェムトセルにより送信されたビーコンに関係付けられている周波数をスキャンするように前記ワイヤレス端末に命令し、
前記周波数は、前記フェムトセルの動作周波数とは異なり、
前記フェムトセルへのハンドオーバーは、前記識別により促進されるコンピュータプログラムプロダクト。
［６０］マクロネットワークからのビーコン支援ハンドオーバーを促進する装置において、
制御メッセージを発生させる手段と、
前記制御メッセージをワイヤレス端末に対して送信する手段と、
少なくとも１つのビーコン属性を含む報告を前記ワイヤレス端末から受信する手段と、
前記少なくとも１つのビーコン属性に基づいて、フェムトセルの検出を把握する手段と、
前記少なくとも１つのビーコン属性に基づいて、前記フェムトセルの識別を決定する手段とを具備し、
前記制御メッセージは、前記フェムトセルにより送信されたビーコンに関係付けられている周波数をスキャンするように前記ワイヤレス端末に命令し、
前記周波数は、前記フェムトセルの動作周波数とは異なり、
前記フェムトセルへのハンドオーバーは、前記識別により促進される装置。
［６１］前記フェムトセルの前記動作周波数に関する前記スキャンを実行するように前記ワイヤレス端末に命令する手段をさらに具備し、前記報告は、フェムトセル属性をさらに含み、前記検出、または、前記識別のうちの少なくとも１つは、前記フェムトセル属性に基づいている［６０］記載の装置。
［６２］マクロネットワークからのビーコン支援ハンドオーバーを促進する方法において、
制御メッセージを発生させることと、
前記制御メッセージをワイヤレス端末に対して送信することと、
少なくとも１つのビーコン属性を含む報告を前記ワイヤレス端末から受信することと、
前記少なくとも１つのビーコン属性に基づいて、フェムトセルの検出を把握することと、
前記少なくとも１つのビーコン属性に基づいて、前記フェムトセルの識別を把握することとを含み、
前記制御メッセージは、前記フェムトセルにより送信されたビーコンに関係付けられている周波数をスキャンするように前記ワイヤレス端末に命令し、
前記周波数は、前記フェムトセルの動作周波数とは異なり、
前記フェムトセルへのハンドオーバーは、前記識別により促進される方法。
【図１】
0005694461.tif 000007
【図２】
0005694461.tif 000008
【図３】
0005694461.tif 000009
【図４】
0005694461.tif 000010
【図５】
0005694461.tif 000011
【図６】
0005694461.tif 000012
【図７】
0005694461.tif 000013
【図８】
0005694461.tif 000014
【図９】
0005694461.tif 000015
【図１０】
0005694461.tif 000016
【図１１】
0005694461.tif 000017
【図１２】
0005694461.tif 000018
【図１３】
0005694461.tif 000019
【図１４】
0005694461.tif 000020
【図１５】
0005694461.tif 000021
【図１６】
0005694461.tif 000022
【図１７】
0005694461.tif 000023
【図１８】
0005694461.tif 000024
【図１９】
0005694461.tif 000025
【図２０】
0005694461.tif 000026